(57)【要約】【課題】専用コンテンツセンタを必要とすることなく簡素なシステム構成でコンテンツを配信して電子ＰＯＰ広告を提供する。【解決手段】ＰＯＰ端末５により、広告管理端末１から送信された電子メールをＩＰ網７に接続されたメールサーバ２から受信して、当該電子メールに添付のコンテンツデータファイルに格納されているコンテンツデータを再生することにより任意の電子ＰＯＰ広告を提供する。【選択図】  図１
2007109190.tif 000002
【特許請求の範囲】
【請求項１】
店舗などの広告場所に設置された電子ＰＯＰ広告端末で、ＩＰ網を介して受信した広告管理端末からのコンテンツデータを再生することにより任意の電子ＰＯＰ広告を提供する電子ＰＯＰ広告提供システムであって、
前記ＩＰ網を介して電子メールの配信を行うメールサーバをさらに備え、
前記広告管理端末は、コンテンツデータが格納されたコンテンツデータファイルを添付した電子ＰＯＰ広告端末宛の電子メールを前記メールサーバへ送信し、
前記電子ＰＯＰ広告端末は、前記メールサーバから当該電子ＰＯＰ広告端末宛の電子メールを受信する電子メール処理手段と、受信した電子メールに添付されていたコンテンツデータファイルに格納されているコンテンツデータを再生することにより任意の電子ＰＯＰ広告を提供する広告再生手段とを有する
ことを特徴とする電子ＰＯＰ広告提供システム。
【請求項２】
店舗などの広告場所に設置された電子ＰＯＰ広告端末で、ＩＰ網を介して受信した広告管理端末からのコンテンツデータを再生することにより任意の電子ＰＯＰ広告を提供する電子ＰＯＰ広告提供システムであって、
前記ＩＰ網を介して電子メールの配信を行うメールサーバと、前記ＩＰ網を介してファイルの転送を行うＷＥＢサーバとをさらに備え、
前記広告管理端末は、コンテンツデータが格納されたコンテンツデータファイルを前記ＷＥＢサーバへアップロードするとともに、当該コンテンツデータのダウンロードを指示する電子ＰＯＰ広告端末宛の電子メールを前記メールサーバへ送信し、
前記電子ＰＯＰ広告端末は、前記メールサーバから当該電子ＰＯＰ広告端末宛の電子メールを受信する電子メール処理手段と、受信した電子メールで指示されたコンテンツデータファイルを前記ＷＥＢサーバからダウンロードするファイル転送手段と、ダウンロードしたコンテンツデータファイルに格納されているコンテンツデータを再生することにより任意の電子ＰＯＰ広告を提供する広告再生手段とを有する
ことを特徴とする電子ＰＯＰ広告提供システム。
【請求項３】
店舗などの広告場所に設置された電子ＰＯＰ広告端末で、ＩＰ網を介して受信した広告管理端末からのコンテンツデータを再生することにより任意の電子ＰＯＰ広告を提供する電子ＰＯＰ広告提供システムで用いられる電子ＰＯＰ広告端末であって、
前記広告管理端末から送信された当該電子ＰＯＰ広告端末宛の電子メールを前記ＩＰ網に接続されたメールサーバから受信する電子メール処理手段と、
受信した電子メールに添付されていたコンテンツデータファイルに格納されているコンテンツデータを再生することにより任意の電子ＰＯＰ広告を提供する広告再生手段と
を備えることを特徴とする電子ＰＯＰ広告端末。
【請求項４】
店舗などの広告場所に設置された電子ＰＯＰ広告端末で、ＩＰ網を介して受信した広告管理端末からのコンテンツデータを再生することにより任意の電子ＰＯＰ広告を提供する電子ＰＯＰ広告提供システムで用いられる電子ＰＯＰ広告端末であって、
前記広告管理端末から送信された当該電子ＰＯＰ広告端末宛の電子メールを前記ＩＰ網に接続されたメールサーバから受信する電子メール処理手段と、
前記広告管理端末から前記ＩＰ網に接続されたＷＥＢサーバへアップロードされたコンテンツデータファイルを、受信した電子メールでの指示に応じて前記ＷＥＢサーバからダウンロードするファイル転送手段と、
ダウンロードしたコンテンツデータファイルに格納されているコンテンツデータを再生することにより任意の電子ＰＯＰ広告を提供する広告再生手段と
を備えることを特徴とする電子ＰＯＰ広告端末。
【請求項５】
請求項３または請求項４に記載の電子ＰＯＰ広告端末において、
前記メール処理手段は、間欠的に前記メールサーバへ接続して当該電子ＰＯＰ広告端末宛の電子メールを前記メールサーバから当該端末へ取り込むことにより前記電子メールを受信する
ことを特徴とする電子ＰＯＰ広告端末。
【請求項６】
請求項３または請求項４に記載の電子ＰＯＰ広告端末において、
前記広告再生手段は、前記コンテンツデータを再生する際、前記電子メールに添付されていたプレイリストファイルに格納されているプレイリストで指定された再生方法に基づき前記コンテンツデータを再生する
ことを特徴とする電子ＰＯＰ広告端末。
【請求項７】
請求項３または請求項４に記載の電子ＰＯＰ広告端末において、
前記電子メールにより前記広告管理端末から指示された処理コマンドを解析して実行するコマンド処理手段をさらに備えることを特徴とする電子ＰＯＰ広告端末。
【請求項８】
請求項７に記載の電子ＰＯＰ広告端末において、
前記コマンド処理手段は、前記処理コマンドとして指示されたメール送信コマンドに応じて、当該電子ＰＯＰ広告端末の動作状況を示すログデータを含む前記広告管理端末宛の電子メールを前記ＩＰ網を介して前記メールサーバへ送信することを特徴とする電子ＰＯＰ広告端末。
【請求項９】
請求項７に記載の電子ＰＯＰ広告端末において、
前記コマンド処理手段は、前記処理コマンドとして指示された端末ロックコマンドに応じて、少なくとも前記広告再生手段でのコンテンツデータの再生を禁止することを特徴とする電子ＰＯＰ広告端末。
【請求項１０】
店舗などの広告場所に設置された電子ＰＯＰ広告端末で、ＩＰ網を介して受信した広告管理端末からのコンテンツデータを再生することにより任意の電子ＰＯＰ広告を提供する電子ＰＯＰ広告提供システムで用いられる電子ＰＯＰ広告端末のコンピュータに、
前記広告管理端末から送信された当該電子ＰＯＰ広告端末宛の電子メールを前記ＩＰ網に接続されたメールサーバから受信する電子メール処理ステップと、
受信した電子メールに添付されていたコンテンツデータファイルに格納されているコンテンツデータを再生することにより任意の電子ＰＯＰ広告を提供する広告再生ステップと
を実行させるプログラム。
【請求項１１】
店舗などの広告場所に設置された電子ＰＯＰ広告端末で、ＩＰ網を介して受信した広告管理端末からのコンテンツデータを再生することにより任意の電子ＰＯＰ広告を提供する電子ＰＯＰ広告提供システムで用いられる電子ＰＯＰ広告端末のコンピュータに、
前記広告管理端末から送信された当該電子ＰＯＰ広告端末宛の電子メールを前記ＩＰ網に接続されたメールサーバから受信する電子メール処理ステップと、
前記広告管理端末から前記ＩＰ網に接続されたＷＥＢサーバへアップロードされたコンテンツデータファイルを、受信した電子メールでの指示に応じて前記ＷＥＢサーバからダウンロードするファイル転送ステップと、
ダウンロードしたコンテンツデータファイルに格納されているコンテンツデータを再生することにより任意の電子ＰＯＰ広告を提供する広告再生ステップと
を実行させるプログラム。
【発明の詳細な説明】
【技術分野】
【０００１】  本発明は、広告提供技術に関し、特に店舗などの広告場所に設置されたコンテンツ再生機能を有する端末で任意の電子ＰＯＰ広告を提供する電子ＰＯＰ広告提供技術に関する。
【背景技術】
【０００２】  近年、情報処理技術の発展に伴ってコンテンツ再生機能を有する端末の小型化が実現され、このような端末を店頭の商品棚やカウンタなどの広告場所に設置して、映像や音声などのコンテンツを再生することにより、販売商品に関する広告を提供する広告提供システムが利用されている（例えば、非特許文献１など参照）。
一般に、このような映像や音声などのコンテンツを用いた広告を電子ＰＯＰ広告（Ｐｏｉｎｔ  Ｏｆ  Ｐｕｒｃｈａｓｅ  ａｄｖｅｒｔｉｓｉｎｇ）と呼び、電子ＰＯＰ広告を提供する端末およびシステムを電子ＰＯＰ広告端末および電子ＰＯＰ広告提供システムという。【０００３】  この種の電子ＰＯＰ広告提供システムでは、販売促進や商品モデルの変更に伴って電子ＰＯＰ広告の内容を更新する必要がある。このため、データ通信機能を搭載した電子ＰＯＰ広告端末を用いるとともに、専用のコンテンツセンタを設け、このコンテンツセンタからデータ通信網を介して電子ＰＯＰ広告端末へ新たなコンテンツを配信し、そのコンテンツを電子ＰＯＰ広告端末で再生することにより、新たな電子ＰＯＰ広告を店頭で提供可能とする電子ＰＯＰ広告提供システムが利用されつつある。【０００４】
【非特許文献１】ｈｔｔｐ：／／ｗｗｗ．ｓｅａｒｓ−ｉｔｖ．ｃｏ．ｊｐ／ｅ＿ｐｏｐ／ｉｎｄｅｘ．ｈｔｍｌ
【発明の開示】
【発明が解決しようとする課題】
【０００５】  しかしながら、このような従来技術では、電子ＰＯＰ広告端末へコンテンツを配信する際、専用のコンテンツセンタやこのコンテンツセンタと電子ＰＯＰ広告端末との間のデータ通信に専用の通信プロトコルを用いているため、電子ＰＯＰ広告提供システム全体が複雑化し大規模化するという問題点があった。【０００６】  すなわち、従来の電子ＰＯＰ広告提供システムでは、広告主からコンテンツを受け付けて任意の電子ＰＯＰ広告端末へ配信するには、当該コンテンツセンタで、広告主からのアクセスに対する認証処理、認証後に新たな電子ＰＯＰ広告のコンテンツやその配信先となる電子ＰＯＰ広告端末の登録を受け付ける受付処理、および登録されたコンテンツを配信先として指定された電子ＰＯＰ広告端末を呼び出して送信する送信処理を行う必要がある。このため、ＩＰ網を介してファイル転送を行う汎用のファイルサーバを利用してこのようなコンテンツセンタを実現することは難しく、専用のコンテンツセンタを電子ＰＯＰ広告提供システムに合わせて新たに構築する必要がある。【０００７】  この際、コンテンツセンタでの各処理についてコンテンツ配信に関する確実性だけでなくセキュリティ性も考慮して構築する必要があり、電子ＰＯＰ広告端末の数がそれほど多くなくても、システム全体の複雑化や大規模化は避けられない。また、コンテンツセンタやシステム構築に専門知識を要するとともに構築作業量が増大する。
したがって、従来技術によれば、電子ＰＯＰ広告提供システムの構築に要する処理コストが増大するため、広告主は安価にシステムを構築することができない。また、事業者がシステムを構築して提供する場合でも、広告主に対して安価にシステムを提供することができず、広告主は容易にシステムを導入できない。【０００８】  本発明はこのような課題を解決するためのものであり、専用コンテンツセンタを必要とすることなく簡素なシステム構成でコンテンツを配信して電子ＰＯＰ広告を提供できる電子ＰＯＰ広告提供システム、電子ＰＯＰ広告端末、およびプログラムを提供することを目的としている。
【課題を解決するための手段】
【０００９】  このような目的を達成するために、本発明にかかる電子ＰＯＰ広告提供システムは、店舗などの広告場所に設置された電子ＰＯＰ広告端末で、ＩＰ網を介して受信した広告管理端末からのコンテンツデータを再生することにより任意の電子ＰＯＰ広告を提供する電子ＰＯＰ広告提供システムであって、ＩＰ網を介して電子メールの配信を行うメールサーバをさらに備え、広告管理端末で、コンテンツデータが格納されたコンテンツデータファイルを添付した電子ＰＯＰ広告端末宛の電子メールをメールサーバへ送信し、  電子ＰＯＰ広告端末に、メールサーバから当該電子ＰＯＰ広告端末宛の電子メールを受信する電子メール処理手段と、受信した電子メールに添付されていたコンテンツデータファイルに格納されているコンテンツデータを再生することにより任意の電子ＰＯＰ広告を提供する広告再生手段と有している。【００１０】  また、本発明にかかる他の電子ＰＯＰ広告提供システムは、店舗などの広告場所に設置された電子ＰＯＰ広告端末で、ＩＰ網を介して受信した広告管理端末からのコンテンツデータを再生することにより任意の電子ＰＯＰ広告を提供する電子ＰＯＰ広告提供システムであって、ＩＰ網を介して電子メールの配信を行うメールサーバと、ＩＰ網を介してファイルの転送を行うＷＥＢサーバとをさらに備え、広告管理端末で、コンテンツデータが格納されたコンテンツデータファイルをＷＥＢサーバへアップロードするとともに、当該コンテンツデータのダウンロードを指示する電子ＰＯＰ広告端末宛の電子メールをメールサーバへ送信し、電子ＰＯＰ広告端末に、メールサーバから当該電子ＰＯＰ広告端末宛の電子メールを受信する電子メール処理手段と、受信した電子メールで指示されたコンテンツデータファイルをＷＥＢサーバからダウンロードするファイル転送手段と、ダウンロードしたコンテンツデータファイルに格納されているコンテンツデータを再生することにより任意の電子ＰＯＰ広告を提供する広告再生手段とを有している。【００１１】  また、本発明にかかる電子ＰＯＰ広告端末は、店舗などの広告場所に設置された電子ＰＯＰ広告端末で、ＩＰ網を介して受信した広告管理端末からのコンテンツデータを再生することにより任意の電子ＰＯＰ広告を提供する電子ＰＯＰ広告提供システムで用いられる電子ＰＯＰ広告端末であって、広告管理端末から送信された当該電子ＰＯＰ広告端末宛の電子メールをＩＰ網に接続されたメールサーバから受信する電子メール処理手段と、受信した電子メールに添付されていたコンテンツデータファイルに格納されているコンテンツデータを再生することにより任意の電子ＰＯＰ広告を提供する広告再生手段とを備えている。【００１２】  また、本発明にかかる他の電子ＰＯＰ広告端末は、店舗などの広告場所に設置された電子ＰＯＰ広告端末で、ＩＰ網を介して受信した広告管理端末からのコンテンツデータを再生することにより任意の電子ＰＯＰ広告を提供する電子ＰＯＰ広告提供システムで用いられる電子ＰＯＰ広告端末であって、広告管理端末から送信された当該電子ＰＯＰ広告端末宛の電子メールをＩＰ網に接続されたメールサーバから受信する電子メール処理手段と、広告管理端末からＩＰ網に接続されたＷＥＢ��ーバへアップロードされたコンテンツデータファイルを、受信した電子メールでの指示に応じてＷＥＢサーバからダウンロードするファイル転送手段と、ダウンロードしたコンテンツデータファイルに格納されているコンテンツデータを再生することにより任意の電子ＰＯＰ広告を提供する広告再生手段とを備えている。【００１３】  この際、メール処理手段で、間欠的にメールサーバへ接続して当該電子ＰＯＰ広告端末宛の電子メールをメールサーバから当該端末へ取り込むことにより電子メールを受信するようにしてもよい。【００１４】  また、広告再生手段で、コンテンツデータを再生する際、電子メールに添付されていたプレイリストファイルに格納されているプレイリストで指定された再生方法に基づきコンテンツデータを再生するようにしてもよい。【００１５】  また、電子メールにより広告管理端末から指示された処理コマンドを解析して実行するコマンド処理手段をさらに設けてもよい。【００１６】  また、コマンド処理手段で、処理コマンドとして指示されたメール送信コマンドに応じて、当該電子ＰＯＰ広告端末の動作状況を示すログデータを含む広告管理端末宛の電子メールをＩＰ網を介してメールサーバへ送信するようにしてもよい。【００１７】  また、コマンド処理手段で、処理コマンドとして指示された端末ロックコマンドに応じて、少なくとも広告再生手段でのコンテンツデータの再生を禁止するようにしてもよい。【００１８】  また、本発明にかかるプログラムは、店舗などの広告場所に設置された電子ＰＯＰ広告端末で、ＩＰ網を介して受信した広告管理端末からのコンテンツデータを再生することにより任意の電子ＰＯＰ広告を提供する電子ＰＯＰ広告提供システムで用いられる電子ＰＯＰ広告端末のコンピュータに、広告管理端末から送信された当該電子ＰＯＰ広告端末宛の電子メールをＩＰ網に接続されたメールサーバから受信する電子メール処理ステップと、受信した電子メールに添付されていたコンテンツデータファイルに格納されているコンテンツデータを再生することにより任意の電子ＰＯＰ広告を提供する広告再生ステップとを実行させる。【００１９】  また、本発明にかかる他のプログラムは、店舗などの広告場所に設置された電子ＰＯＰ広告端末で、ＩＰ網を介して受信した広告管理端末からのコンテンツデータを再生することにより任意の電子ＰＯＰ広告を提供する電子ＰＯＰ広告提供システムで用いられる電子ＰＯＰ広告端末のコンピュータに、広告管理端末から送信された当該電子ＰＯＰ広告端末宛の電子メールをＩＰ網に接続されたメールサーバから受信する電子メール処理ステップと、広告管理端末からＩＰ網に接続されたＷＥＢサーバへアップロードされたコンテンツデータファイルを、受信した電子メールでの指示に応じてＷＥＢサーバからダウンロードするファイル転送ステップと、ダウンロードしたコンテンツデータファイルに格納されているコンテンツデータを再生することにより任意の電子ＰＯＰ広告を提供する広告再生ステップとを実行させる。
【発明の効果】
【００２０】  本発明によれば、電子ＰＯＰ広告端末により、広告管理端末１から送信された電子メールがＩＰ網に接続されたメールサーバから受信されて、当該電子メールに添付のコンテンツデータファイルに格納されているコンテンツデータが再生されて任意の電子ＰＯＰ広告が提供される。また、電子ＰＯＰ広告端末により、広告管理端末１から送信された電子メールがＩＰ網に接続されたメールサーバから受信されて、広告管理端末からＩＰ網に接続されたＷＥＢサーバへアップロードされたコンテンツデータファイルが、受信した電子メールでの指示に応じてＷＥＢサーバからダウンロードされ、このコンテンツデータファイルに格納されているコンテンツデータが再生されて任意の電子ＰＯＰ広告が提供される。
このため、専用コンテンツセンタを必要とすることなく簡素なシステム構成でコンテンツを配信して電子ＰＯＰ広告を提供できる。【００２１】  すなわち、本発明において、メールサーバはメールの配信機能を備えておればよく、さらにＷＥＢサーバもファイル配信機能を備えておればよい。したがって、電子ＰＯＰ広告システム専用の機能を持つ必要はないため、汎用のメールサーバやファイルサーバで容易に実現でき、さらにはホスティングサービスとして事業者により予め設置されレンタルサービスで提供されているメールサーバやファイルサーバを利用することもできる。また、広告管理端末についても、コンテンツデータファイルを添付した電子メールを所望の電子ＰＯＰ広告端末へ送信する電子メール処理機能や、コンテンツデータファイルをＷＥＢサーバへアップロードするファイル転送機能を備えていればよく、一般的なパーソナルコンピュータで実現できる。【００２２】  したがって、本発明によれば、電子ＰＯＰ広告端末へコンテンツを配信するために、専用のコンテンツセンタやこのコンテンツセンタと電子ＰＯＰ広告端末との間でデータ通信を行うための専用の通信プロトコルを用いる従来技術と比較して、システム全体の複雑化や大規模化を回避できるとともに、専門知識を要することなく小さな作業負担で電子ＰＯＰ広告システムを構築できる。これにより、システム構築に要する初期コストを大幅に削減できるため、広告主は安価にシステムを構築することができる。また事業者がシステムを構築して広告主に提供する場合でも安価にシステムを提供でき、広告主が容易にシステムを導入することが可能となる。
【発明を実施するための最良の形態】
【００２３】  次に、本発明の実施の形態について図面を参照して説明する。
［第１の実施の形態］
まず、図１を参照して、本発明の第１の実施の形態にかかる電子ＰＯＰ広告提供システムについて説明する。図１は、本発明の第１の実施の形態にかかる電子ＰＯＰ広告提供システムの構成を示すブロック図である。【００２４】  この電子ＰＯＰ広告提供システムは、インターネットなどのＩＰ網７に接続された、広告管理端末１、メールサーバ２、および複数の電子ＰＯＰ広告端末（以下、ＰＯＰ端末という）５から構成されている。ゲートウェイ（ＧＷ）６は、ＰＯＰ端末５と無線通信を行う通信装置であり、ここでは、ＰＯＰ端末５が無線通信機能により、ゲートウェイ６を介してＩＰ網７に接続する場合が例として示されている。【００２５】  本実施の形態は、ＩＰ網７を介して広告管理端末１から送信された電子ＰＯＰ広告を、店舗５Ａ，５Ｂなどの広告場所に配置されたＰＯＰ端末５で受信して再生する電子ＰＯＰ広告システムであり、特に、ＰＯＰ端末５により、広告管理端末１から送信された電子メールをＩＰ網７に接続されたメールサーバ２から受信して、当該電子メールに添付されていたコンテンツデータファイルに格納されているコンテンツデータを再生することにより任意の電子ＰＯＰ広告を提供するものである。【００２６】  以下、電子ＰＯＰ広告提供システムの詳細について説明する。
［広告管理端末］
まず、図２を参照して、本発明の第１の実施の形態にかかる電子ＰＯＰ広告提供システムで用いられる広告管理端末について説明する。図２は、本発明の第１の実施の形態にかかる電子ＰＯＰ広告提供システムで用いられる広告管理端末の構成を示すブロック図である。【００２７】  この広告管理端末１は、広告主により用いられるパーソナルコンピュータなどの情報通信端末からなり、通信インターフェース部（以下、通信Ｉ／Ｆ部という）１１、操作入力部１２、画面表示部１３、記憶部１６、および情報処理部１７が設けられている。【００２８】  通信Ｉ／Ｆ部１１は、専用のデータ通信回路部からなり、ＩＰ網７を介してパケットを送受信することにより各種データ通信を行う機能を有している。
操作入力部１２は、キーボードやマウスなどの操作入力装置からなり、オペレータの操作を検出して情報処理部１７へ出力する機能を有している。
画面表示部１３は、ＬＣＤやＰＤＰなどの画面表示装置からなり、情報処理部１７からの指示に基づき、操作メニューや電子メールの内容などの各種情報を画面表示する機能を有している。【００２９】  記憶部１６は、ハードディスクやメモリなどの記憶装置からなり、情報処理部１７での処理に用いる各種処理情報を記憶する機能を有している。
この記憶部１６で記憶する主な処理情報としては、各ＰＯＰ端末５で電子ＰＯＰ広告を再生するための広告データが格納されている広告データファイル、当該広告管理端末１や各ＰＯＰ端末５のメールアドレス、メールサーバ２にアクセスするために必要な認証情報やアドレス情報、さらには情報処理部１７での各種処理を実行するためのプログラムがある。【００３０】  広告データの具体例としては、電子ＰＯＰ広告の内容を示すコンテンツデータやこのコンテンツデータの再生方法を示すプレイリストがある。特に、広告データとしてコンテンツデータが格納された広告データファイルをコンテンツデータファイルといい、広告データとしてコンテンツデータの再生方法を示すプレイリストが格納された広告データファイルをプレイリストファイルという。これら広告データファイルは、１つの電子メールに一緒に添付して配信してもよく、異なる電子メールに添付して別個に配信してもよい。【００３１】  情報処理部１７は、ＣＰＵなどのマイクロプロセッサとその周辺回路を有し、記憶部１６からプログラムを読み込んで実行することにより、上記ハードウェアとプログラムとを協働させて各種機能手段を実現する機能を有している。
この情報処理部１７で実現される主な機能手段としては、電子メール処理手段１７Ａがある。【００３２】  電子メール処理手段１７Ａは、画面表示部１３に表示した入力画面に対するオペレータ操作に応じてＰＯＰ端末５宛の電子メールを生成する機能と、オペレータ操作に応じてＰＯＰ端末５宛の電子メールに記憶部１６のコンテンツデータファイルやプレイリストファイルなどの広告データファイルを添付する機能と、オペレータ操作に応じてＰＯＰ端末５宛の電子メールの本文に処理コマンドを記述する機能と、通信Ｉ／Ｆ部１１を介してメールサーバ２と各種パケットをやり取りすることにより電子メールを送受信する機能と、メールサーバ２から受信したＰＯＰ端末５からの電子メールの内容を画面表示部１３で画面表示する機能とを有している。【００３３】［メールサーバ］
次に、図３を参照して、本発明の第１の実施の形態にかかる電子ＰＯＰ広告提供システムで用いられるメールサーバについて説明する。図３は、本発明の第１の実施の形態にかかる電子ＰＯＰ広告提供システムで用いられるメールサーバの構成を示すブロック図である。【００３４】  このメールサーバ２は、ＩＰ網７に接続されたサーバ装置からなり、通信インターフェース部（以下、通信Ｉ／Ｆ部という）２１、蓄積部２６、および情報処理部２７が設けられている。なお、メールサーバ２は、電子メール配信機能を有する一般的なメールサーバであり、広告主が新たに設置してもよいが、例えばホスティングサービスとして事業者により予め設置されレンタルサービスで提供されているメールサーバを利用してもよい。【００３５】  通信Ｉ／Ｆ部２１は、専用のデータ通信回路部からなり、ＩＰ網７を介してパケットを送受信することにより各種データ通信を行う機能を有している。
蓄積部２６は、ハードディスクなどの記憶装置からなり、情報処理部２７での処理に用いる各種処理情報を記憶する機能を有している。
この蓄積部２６で記憶する主な処理情報としては、広告管理端末１やＰＯＰ端末５宛の電子メールや、情報処理部２７での各種処理を実行するためのプログラムがある。特に、蓄積部２６には電子メールの宛先となる広告管理端末１やＰＯＰ端末５ごとにメールボックスという論理的な格納場所が予め設けられており、各電子メールはその宛先に対応するメールボックスに分類して一時蓄積される。【００３６】  情報処理部２７は、ＣＰＵなどのマイクロプロセッサとその周辺回路を有し、蓄積部２６からプログラムを読み込んで実行することにより、上記ハードウェアとプログラムとを協働させて各種機能手段を実現する機能を有している。
この情報処理部２７で実現される主な機能手段としては、電子メール配信手段２７Ａがある。【００３７】  電子メール配信手段２７Ａは、通信Ｉ／Ｆ部２１を介して広告管理端末１やＰＯＰ端末５から受信した電子メールをその宛先のメールボックスへ一時的に蓄積する機能と、通信Ｉ／Ｆ部２１を介した広告管理端末１やＰＯＰ端末５からの問い合わせに応じて対応するメールボックス内の電子メールの有無を検索して通知する機能と、広告管理端末１やＰＯＰ端末５からの取得要求に応じて指定された電子メールを対応するメールボックスから取得して要求元の広告管理端末１やＰＯＰ端末５へ配信する機能とを有している。【００３８】［ＰＯＰ端末］
次に、図４を参照して、本発明の第１の実施の形態にかかる電子ＰＯＰ広告提供システムで用いられるＰＯＰ端末について説明する。図４は、本発明の第１の実施の形態にかかる電子ＰＯＰ広告提供システムで用いられるＰＯＰ端末の構成を示すブロック図である。【００３９】  このＰＯＰ端末５は、広告場所に配置されて電子ＰＯＰ広告を再生するＰＤＡなどの情報通信端末からなり、通信インターフェース部（以下、通信Ｉ／Ｆ部という）５１、操作入力部５２、画面表示部５３、音声処理部５４、電源部５５、記憶部５６、および情報処理部５７が設けられている。【００４０】  通信Ｉ／Ｆ部５１は、専用の無線データ通信回路部からなり、ゲートウェイ６およびＩＰ網７を介してパケットを送受信することにより各種データ通信を行う機能を有している。
操作入力部５２は、キーボードやマウスなどの操作入力装置からなり、オペレータの操作を検出して情報処理部５７へ出力する機能を有している。
画面表示部５３は、ＬＣＤやＰＤＰなどの画面表示装置からなり、情報処理部５７からの指示に基づき、電子ＰＯＰ広告の内容を示す映像コンテンツデータを画面表示する機能を有している。【００４１】  音声処理部５４は、専用の音声処理回路部とスピーカからなり、情報処理部５７からの指示に基づき、電子ＰＯＰ広告の内容を示す音声コンテンツデータを音声信号としてスピーカから出力する機能を有している。
電源部５５は、専用の電源回路部からなり、当該ＰＯＰ端末５の各部に動作電源を供給する機能と、情報処理部５７からの指示に基づき、各部への電源供給を制御する機能とを有している。【００４２】  記憶部５６は、メモリやハードディスクなどの記憶装置からなり、情報処理部５７での処理に用いる各種処理情報を記憶する機能を有している。
この記憶部５６で記憶する主な処理情報としては、当該広告管理端末１や当該ＰＯＰ端末５のメールアドレス、メールサーバ２にアクセスするために必要な認証情報やアドレス情報のほか、メールデータ５６Ａ、コンテンツデータ５６Ｂ、プレイリスト５６Ｃ、ログデータ５６Ｄ、およびプログラム５６Ｐがある。【００４３】  メールデータ５６Ａは、メールサーバ２から受信した電子メールの全内容を示すデータである。コンテンツデータ５６Ｂは、電子ＰＯＰ広告の内容を示すデータである。プレイリスト５６Ｃは、電子ＰＯＰ広告の再生方法を示すデータである。ログデータ５６Ｄは、当該ＰＯＰ端末５の動作状況の履歴を示すデータである。プログラム５６Ｐは、情報処理部５７での各種処理を実行するためのプログラムである。これらデータは、電子ファイルとして記憶部５６に保存されている。【００４４】  情報処理部５７は、ＣＰＵなどのマイクロプロセッサとその周辺回路を有し、記憶部５６からプログラム５６Ｐを読み込んで実行することにより、上記ハードウェアとプログラムとを協働させて各種機能手段を実現する機能を有している。
この情報処理部５７で実現される主な機能手段としては、電子メール処理手段５７Ａ、コマンド処理手段５７Ｂ、広告再生手段５７Ｃ、および計時手段５７Ｄがある。【００４５】  電子メール処理手段５７Ａは、間欠的に、例えば計時手段５７Ｄの計時動作に応じて通信Ｉ／Ｆ部１１を介して定期的にメールサーバ２と接続し、各種パケットをやり取りすることにより当該端末宛の電子メールを受信する機能と、受信した電子メールを記憶部５６へメールデータ５６Ａとして保存する機能と、メールデータ５６Ａを参照して電子メールに添付されている広告データファイルを記憶部５６へコンテンツデータ５６Ｂやプレイリスト５６Ｃとしてファイル保存する機能と、記憶部５６のログデータ５６Ｄを広告管理端末１宛の電子メールにログファイルとして添付する機能と、広告管理端末１宛の電子メールを通信Ｉ／Ｆ部１１を介してメールサーバ２へ送信する機能とを有している。【００４６】  コマンド処理手段５７Ｂは、記憶部５６のメールデータ５６Ａを参照して電子メールの本文に記載されている処理コマンドを解析する機能と、この解析結果に応じて各種処理コマンドを実行する機能とを有している。
広告再生手段５７Ｃは、コマンド処理手段５７Ｂにおける処理コマンド実行に応じて、記憶部５６のコンテンツデータ５６Ｂを画面表示部５３や音声処理部５４で再生することにより電子ＰＯＰ広告を再生して提供する機能と、記憶部５６のプレイリスト５６Ｃを読み込んでコンテンツデータ５６Ｂの再生方法を制御する機能とを有している。
計時手段５７Ｄは、ＣＰＵなどのマイクロプロセッサやその周辺回路の持つタイマ機能を用いて日時を計時する機能を有している。【００４７】［第１の実施の形態の動作］
次に、図５−図１０を参照して、本発明の第１の実施の形態にかかる電子ＰＯＰ広告提供システムの動作について説明する。図５は、広告管理端末における広告更新動作を示すシーケンス図である。図６は、広告管理端末から送信されるＰＯＰ端末宛の電子メール例である。図７は、ＰＯＰ端末におけるコンテンツデータの再生方法を示すプレイリスト例である。図８は、ＰＯＰ端末における電子メール受信動作を示すシーケンス図である。図９は、ＰＯＰ端末におけるコマンド実行処理を示すフローチャートである。図１０は、ＰＯＰ端末における広告再生処理を示すフローチャートである。【００４８】  ここでは、広告管理端末１からコンテンツデータファイルとプレイリストファイルが添付されたＰＯＰ端末５宛の電子メールを送信し、この電子メールをメールサーバ２を介してＰＯＰ端末５で受信し、当該電子メールに添付されているプレイリストファイル内のプレイリストに基づき、当該電子メールに添付されているコンテンツデータファイル内のコンテンツデータを再生して電子ＰＯＰ広告を提供する場合を例として説明する。【００４９】  広告管理端末１の情報処理部１７は、オペレータ（広告主）の広告更新操作が操作入力部１２を介して検出された場合、図５の広告更新動作を開始する。
まず、情報処理部１７は、電子メール処理手段１７Ａにより、予め用意されている電子メールの雛形データを記憶部１６から読み込んで、各項目を設定することにより電子メールを生成する（ステップ１００−１０６）。【００５０】  図６に示すように、電子メール４０は、電子メール４０の宛先を示す宛先アドレス４１、件名４２、本文４３、および添付ファイル４４から構成されている。
電子メール処理手段１７Ａは、オペレータから指定された当該電子メールの宛先、ここでは店舗５ＡのＰＯＰ端末５（ＰＯＰ端末５Ａ１，ＰＯＰ端末５Ａ２）のメールアドレス「ａ１＠ｈｉｋｏｍ．ｃｏ．ｊｐ」と「ａ２＠ｈｉｋｏｍ．ｃｏ．ｊｐ」を宛先アドレス４１に設定する（ステップ１００）。
また、電子メール処理手段１７Ａは、電子メールの送信日「２００５／０８／３１」とその日の送信電子メールに連番で付与されるシリアル番号「００１」から生成した数字列「２００５０８３１００１」を件名４２に設定する（ステップ１０１）。【００５１】  また、電子メール処理手段１７Ａは、オペレータから入力されたコマンドリストを本文４３に設定する（ステップ１０２）。
コマンドリストは、図６に示すように、ＰＯＰ端末５で実行すべき処理コマンドが１行ごとにテキストデータにより記述されたリストからなり、ＰＯＰ端末５において先頭行から順番に実行される。  各処理コマンドは、当該行が処理コマンドであることを示す「Ｉ＿Ｃｏｍｍａｎｄ」と、処理コマンドの内容を示すコマンド識別情報と、その処理コマンドの実行に必要なパラメータとの組から構成されている。なお、処理コマンドを記述する際、コマンド識別情報に代えてコマンド名を用いてもよい。【００５２】  例えば、図６の本文４３に記載されたコマンドリストのうち、先頭行に記載された処理コマンド「Ｉ＿Ｃｏｍｍａｎｄ  ０１  ａ．ｍｐｇ  ／ｃｏｎｔｅｎｔｓ／」では、そのコマンド識別情報「０１」がコンテンツデータファイルのコピー動作に対応しており、この処理コマンドは、基準フォルダ内のコンテンツデータファイル「ａ．ｍｐｇ」を電子ＰＯＰ広告の再生データ格納用の「／ｃｏｎｔｅｎｔｓ／」フォルダにコピーすることを指示している。【００５３】  また、２行目から４行目までの処理コマンド「Ｉ＿Ｃｏｍｍａｎｄ  ０１  ｂ．ｊｐｇ  ／ｃｏｎｔｅｎｔｓ／」，「Ｉ＿Ｃｏｍｍａｎｄ  ０１  ｃ．ｍｐｇ  ／ｃｏｎｔｅｎｔｓ／」，「Ｉ＿Ｃｏｍｍａｎｄ  ０１  ｐｌａｙｌｉｓｔ．ｔｘｔ  ／ｃｏｎｔｅｎｔｓ／」は、先頭行と同じ処理コマンドであり、基準フォルダ内のコンテンツデータファイル「ｂ．ｊｐｇ」，「ｃ．ｍｐｇ」およびプレイリストファイル「ｐｌａｙｌｉｓｔ．ｔｘｔ」をそれぞれ「／ｃｏｎｔｅｎｔｓ／」フォルダにコピーすることを指示している。
また、最終行の処理コマンド「Ｉ＿Ｃｏｍｍａｎｄ  １５」では、そのコマンド識別情報「１５」が当該ＰＯＰ端末５の再起動に対応しており、この処理コマンドは、当該ＰＯＰ端末５を再起動（リセット）することを指示している。【００５４】  また、電子メール処理手段１７Ａは、オペレータから指定された広告データファイルを記憶部１６から取り込んで添付ファイル４４として電子メールに添付する（ステップ１０３−１０６）。ここでは、電子ＰＯＰ広告の内容を示す動画コンテンツデータファイル「ａ．ｍｐｇ」、静止画コンテンツファイルデータ「ｂ．ｊｐｇ」、および動画コンテンツデータファイル「ｃ．ｍｐｇ」と、電子ＰＯＰ広告の再生方法を示すプレイリストファイル「ｐｌａｙｌｉｓｔ．ｔｘｔ」が添付ファイル４４として添付される。【００５５】  このうち、プレイリスト４５は、図７に示すように、ＰＯＰ端末５で実行すべき再生コマンドが１行ごとにテキストデータにより記述されたリストからなり、ＰＯＰ端末５において先頭行から順番に実行され、最終行を実行した後は再び先頭行から繰り返し実行される。
各再生コマンドは、再生対象となるコンテンツデータファイル名とそのコンテンツデータファイルの再生方法との組から構成されている。コンテンツデータファイルが動画コンテンツの場合、その再生方法は再生する回数を示し、コンテンツデータファイルが静止画コンテンツの場合、その再生方法は表示する期間（秒数）を示す。【００５６】  例えば、先頭行に記載された再生コマンド「ａ．ｍｐｇ  １」の場合、「ａ．ｍｐｇ」が動画コンテンツを示すことから、この再生コマンドは、コンテンツデータファイル「ａ．ｍｐｇ」を「１回」だけ再生することを指示している。また、次行に記載された再生コマンド「ｂ．ｊｐｇ  １」の場合、「ｂ．ｊｐｇ」が静止画コンテンツを示すことから、この再生コマンドは、コンテンツデータファイル「ｂ．ｊｐｇ」を「１０秒間」にわたり表示することを指示している。また、最終行に記載された再生コマンド「ｃ．ｍｐｇ  ２」の場合、「ｃ．ｍｐｇ」が動画コンテンツを示すことから、この再生コマンドは、コンテンツデータファイル「ｃ．ｍｐｇ」を「２回」繰り返し再生することを指示している。【００５７】  このようにしてＰＯＰ端末５宛の電子メールを生成した後、電子メール処理手段１７Ａは、通信Ｉ／Ｆ部１１からＩＰ網７を介してメールサーバ２へ、ＰＯＰ端末５宛の電子メールを送信する（ステップ１０７）。【００５８】  メールサーバ２の情報処理部２７は、通信Ｉ／Ｆ部２１を介して広告管理端末１からの電子メールが受信された場合、電子メール配信手段２７Ａにより、当該電子メールの宛先アドレスを確認し、その宛先アドレスに対応する蓄積部２６内のメールボックスに当該電子メールを蓄積する（ステップ１０８）。
これにより、店舗５Ａに設置されているＰＯＰ端末５（ＰＯＰ端末５Ａ１，ＰＯＰ端末５Ａ２）のメールボックスに、同じ電子メールがそれぞれ蓄積され、一連の広告更新動作が終了する。【００５９】  一方、ＰＯＰ端末５の情報処理部５７は、図８に示す電子メール受信動作において、電子メール処理手段５７Ａにより、計時手段５７Ｄでの計時動作（タイマ）に応じて電子メールの受信タイミングの到来が確認された場合（ステップ１１０）、通信Ｉ／Ｆ部１１を介してメールサーバ２へメール受信要求を送信する（ステップ１１１）。
メールサーバ２の電子メール配信手段２７Ａは、通信Ｉ／Ｆ部２１を介してＰＯＰ端末５からのメール受信要求を受け取った場合、当該ＰＯＰ端末５のメールアドレスに対応する蓄積部２６内のメールボックスを検索し、新たな電子メールが届いていないか確認する（ステップ１１２）。ここで、新たな電子メールが届いている場合は、その電子メールをメールボックスから取得して通信Ｉ／Ｆ部２１からＩＰ網７を介してＰＯＰ端末５へ配信する（ステップ１１３）。【００６０】  新たな電子メールが届いている場合、ＰＯＰ端末５の情報処理部５７は、電子メール処理手段５７Ａにより、メールサーバ２から配信された電子メールを通信Ｉ／Ｆ部５１を介して受信し、記憶部５６へメールデータ５６Ａとして保存するとともにその添付ファイルを抽出して保存し（ステップ１１４）、コマンド処理手段５７Ｂにより、図９に示すようなコマンド実行処理により、メールデータ５６Ａの電子メール本文に記載されている処理コマンドを解析して実行する（ステップ１１５）。この際、コマンド処理手段５７Ｂは、各処理コマンドのコマンド識別情報やパラメータを抽出することによりコマンドを解析し、そのパラメータを用いて当該コマンド識別情報と対応付けられている処理を実行する。【００６１】  図９のコマンド実行処理例は、図６の電子メール本文４３のコマンドリストに対応するものである。
まず、コマンド処理手段５７Ｂは、先頭行の処理コマンド「Ｉ＿Ｃｏｍｍａｎｄ  ０１  ａ．ｍｐｇ  ／ｃｏｎｔｅｎｔｓ／」を解析し、コマンド識別情報「０１」がコンテンツデータファイルのコピー動作を示すことから、メールデータ５６Ａの電子メールに添付されていた基準フォルダ内のコンテンツデータファイル「ａ．ｍｐｇ」を電子ＰＯＰ広告の再生データ格納用の「／ｃｏｎｔｅｎｔｓ／」フォルダにコピーする（ステップ１２０）。【００６２】  続いて、コマンド処理手段５７Ｂは、２行目から４行目までの処理コマンド「Ｉ＿Ｃｏｍｍａｎｄ  ０１  ｂ．ｊｐｇ  ／ｃｏｎｔｅｎｔｓ／」，「Ｉ＿Ｃｏｍｍａｎｄ  ０１  ｃ．ｍｐｇ  ／ｃｏｎｔｅｎｔｓ／」，「Ｉ＿Ｃｏｍｍａｎｄ  ０１  ｐｌａｙｌｉｓｔ．ｔｘｔ  ／ｃｏｎｔｅｎｔｓ／」を解析し、これらが先頭行と同じ処理コマンドであることから、メールデータ５６Ａの電子メールに添付されていた基準フォルダ内のコンテンツデータファイル「ｂ．ｊｐｇ」，「ｃ．ｍｐｇ」およびプレイリストファイル「ｐｌａｙｌｉｓｔ．ｔｘｔ」をそれぞれ「／ｃｏｎｔｅｎｔｓ／」フォルダにコピーする（ステップ１２１−１２３）。【００６３】  次に、コマンド処理手段５７Ｂは、最終行の処理コマンド「Ｉ＿Ｃｏｍｍａｎｄ  １５」を解析し、コマンド識別情報「０１」が当該ＰＯＰ端末５の再起動を示すことから、当該ＰＯＰ端末５の再起動（リセット）を実行する（ステップ１２４）。
これにより、一連のコマンド実行処理が終了し、その後、当該ＰＯＰ端末５が再起動され、ＰＯＰ端末５の情報処理部５７は、広告再生手段５７Ｃにより、図１０に示すような、電子メールで受信して「／ｃｏｎｔｅｎｔｓ／」フォルダに格納されている各種広告データファイルに基づく電子ＰＯＰ広告の広告再生処理を開始する。【００６４】  なお、記憶部５６は、情報処理部５７のファイルシステム機能により各種データがファイルで管理されており、各ファイルは論理的な格納場所である任意のフォルダに保存され整理されている。例えば、受信した電子メールのメールデータ５６Ａやその添付ファイルは電子メール処理手段５７Ａにより基準フォルダに保存される。【００６５】  また、広告再生手段５７Ｃは、「／ｃｏｎｔｅｎｔｓ／」フォルダに格納されている「ｐｌａｙｌｉｓｔ．ｔｘｔ」という、予め定められた格納場所およびファイル名のプレイリストファイルを読み込んで、そのプレイリストに基づき「／ｃｏｎｔｅｎｔｓ／」フォルダ内の任意のコンテンツデータファイルを再生する処理手順を実行する。したがって、予め定められた格納場所およびファイル名のプレイリストファイル、すなわち「／ｃｏｎｔｅｎｔｓ／」フォルダ内のプレイリストファイル「ｐｌａｙｌｉｓｔ．ｔｘｔ」やコンテンツデータファイルを更新すれば、ＰＯＰ端末５で再生される電子ＰＯＰ広告を変更できる。【００６６】  図１０の広告再生処理例は、図７のプレイリスト４５に対応するものである。
まず、広告再生手段５７Ｃは、「／ｃｏｎｔｅｎｔｓ／」フォルダ内に格納されているプレイリストファイル「ｐｌａｙｌｉｓｔ．ｔｘｔ」を読み込んで解析し（ステップ１３０）、そのプレイリストに記載されている順にそれぞれの再生コマンドを実行する。
この場合、先頭行の再生コマンド「ａ．ｍｐｇ  １」については、「ａ．ｍｐｇ」が動画コンテンツを示すことから、広告再生手段５７Ｃは、  「／ｃｏｎｔｅｎｔｓ／」フォルダ内のコンテンツデータファイル「ａ．ｍｐｇ」を「１回」だけ画面表示部５３で動画再生する（ステップ１３１）。【００６７】  ２行目の再生コマンド「ｂ．ｊｐｇ  １」については、「ｂ．ｊｐｇ」が静止画コンテンツを示すことから、広告再生手段５７Ｃは、「／ｃｏｎｔｅｎｔｓ／」フォルダ内のコンテンツデータファイル「ｂ．ｊｐｇ」を「１０秒間」にわたり画面表示部５３で静止画表示する（ステップ１３２）。
最終行の再生コマンド「ｃ．ｍｐｇ  ２」については、「ｃ．ｍｐｇ」が動画コンテンツを示すことから、広告再生手段５７Ｃは、「／ｃｏｎｔｅｎｔｓ／」フォルダ内のコンテンツデータファイル「ｃ．ｍｐｇ」を「２回」繰り返し画面表示部５３で動画再生する（ステップ１３３）。
なお、各コンテンツデータファイルを再生する際、音声データがコンテンツデータファイルに含まれている場合、広告再生手段５７Ｃは、音声処理部５４のスピーカから音声信号として出力する。【００６８】  このようにして、広告再生手段５７Ｃは、プレイリストファイル「ｐｌａｙｌｉｓｔ．ｔｘｔ」に記述されているプレイリストに基づき各コンテンツデータファイルを再生し、プレイリストの最終行の再生コマンドの実行が完了した後、再び先頭行から繰り返し実行する。
これにより、メールサーバ２を介してＰＯＰ端末５で受信した電子メールに添付されているプレイリストファイル内のプレイリストに基づき、当該電子メールに添付されているコンテンツデータファイル内のコンテンツデータが順次再生される。【００６９】  このように、本実施の形態は、ＰＯＰ端末５により、広告管理端末１から送信された電子メールをＩＰ網７に接続されているメールサーバ２から受信して、当該電子メールに添付されたコンテンツデータファイルに格納されているコンテンツデータを再生することにより、任意の電子ＰＯＰ広告を提供するようにしたので、専用コンテンツセンタを必要とすることなく簡素なシステム構成でコンテンツを配信して電子ＰＯＰ広告を提供することができる。【００７０】  すなわち、本実施の形態において、メールサーバ２はメールの配信機能を備えておればよい。したがって、電子ＰＯＰ広告システム専用の機能を持つ必要はないため、汎用のメールサーバで容易に実現でき、さらにはホスティングサービスとして事業者により予め設置されレンタルサービスで提供されているメールサーバを利用することもできる。また、広告管理端末１についても、コンテンツデータファイルを添付した電子メールを所望のＰＯＰ端末へ送信する電子メール処理機能を備えていればよく、一般的なパーソナルコンピュータで実現できる。【００７１】  したがって、本実施の形態によれば、ＰＯＰ端末５へコンテンツを配信するために、専用のコンテンツセンタやこのコンテンツセンタとＰＯＰ端末との間でデータ通信を行うための専用の通信プロトコルを用いる従来技術と比較して、システム全体の複雑化や大規模化を回避できるとともに、専門知識を要することなく小さな作業負担で電子ＰＯＰ広告システムを構築できる。これにより、システム構築に要する初期コストを大幅に削減できるため、広告主は安価にシステムを構築することができる。また事業者がシステムを構築して広告主に提供する場合でも安価にシステムを提供でき、広告主が容易にシステムを導入することが可能となる。【００７２】  また、本実施の形態では、ＰＯＰ端末５により、間欠的にメールサーバ２に接続して当該端末宛の電子メールの有無をチェックし、当該ＰＯＰ端末５宛の電子メールがメールサーバ２に蓄積されている場合はその電子メールをメールサーバ２から当該ＰＯＰ端末５へ取り込むことにより電子メールを受信するようにしてもよい。これにより、直接、相手先を呼び出してデータ通信を行う通信プロトコルを必要とすることなく、広告管理端末１からＰＯＰ端末５に対してコンテンツデータファイルを、ＰＯＰ端末５からメールサーバ２へ接続する間隔で規定される遅れの範囲内でスムーズに配信することができる。【００７３】  また、本実施の形態では、広告管理端末１により、電子ＰＯＰ広告の再生方法を示すプレイリストが格納されているプレイリストファイルを電子メールに添付して送信し、ＰＯＰ端末５により、受信した電子メールに添付のプレイリストファイルに格納されているプレイリスト５６Ｃで指定された再生方法に基づき電子ＰＯＰ広告を再生するようにしてもよい。これにより、任意のＰＯＰ端末５で再生する電子ＰＯＰ広告の再生方法を容易に指示するこ��ができる。また、プレイリストファイルのみを電子メールへ添付して送信し、ＰＯＰ端末５に電子メール以外の方法を利用して予め保存されているコンテンツデータ、例えばメモリカードなどの記録媒体を介して保存されているコンテンツデータに対しても、その再生方法を指定して再生制御することも可能となる。【００７４】  また、本実施の形態は、広告管理端末１により、電子メールの本文に任意の処理コマンドを記載して送信し、ＰＯＰ端末５により、メールサーバ２から受信した電子メールの本文に記載されている処理コマンドを解析して実行するようにしてもよく、広告管理端末１からＰＯＰ端末５の動作を詳細に遠隔操作できる。これにより、例えばＰＯＰ端末５に保存されている各種広告データファイルの管理や、ＰＯＰ端末５の状態管理を広告管理端末１から指示することができ、メンテナンスのために作業員をＰＯＰ端末５の配置場所まで派遣する機会を抑制でき、ＰＯＰ端末５の管理作業負担を大幅に削減できる。【００７５】［第２の実施の形態］
次に、図１１，図１２を参照して、本発明の第２の実施の形態にかかる電子ＰＯＰ広告提供システムについて説明する。図１１は、本発明の第２の実施の形態にかかる電子ＰＯＰ広告提供システムの構成を示すブロック図である。図１２は、本発明の第２の実施の形態にかかる電子ＰＯＰ広告提供システムで用いられるＷＥＢサーバの構成を示すブロック図である。【００７６】  第１の実施の形態（図１参照）では、電子ＰＯＰ広告の内容を示すコンテンツデータファイルを電子メールに添付して広告管理端末１からＰＯＰ端末５へ配信する場合を例として説明した。
本実施の形態では、ＩＰ網７にＷＥＢサーバ３を設置してコンテンツデータファイルを蓄積しておき、広告管理端末１からＰＯＰ端末５へ電子メールにより任意のコンテンツデータのダウンロードを指示する場合について説明する。【００７７】  ＷＥＢサーバ３は、ＩＰ網７に接続されたサーバ装置からなり、図１２に示すように、通信インターフェース部（以下、通信Ｉ／Ｆ部という）３１、蓄積部３６、および情報処理部３７が設けられている。なお、ＷＥＢサーバ３は、ファイル配信機能を有する汎用のファイルサーバであり、広告主が新たに設置してもよいが、例えばホスティングサービスとして事業者により予め設置されレンタルサービスで提供されているファイルサーバを利用してもよい。特に、近年のレンタルサービスでは、メールサーバとファイルサーバがセットになっているものもあり、この種のサービスを利用すれば、メールサーバ２とＷＥＢサーバ３とを一括して容易に利用できる。【００７８】  通信Ｉ／Ｆ部３１は、専用のデータ通信回路部からなり、ＩＰ網７を介してパケットを送受信することにより各種データ通信を行う機能を有している。
蓄積部３６は、ハードディスクなどの記憶装置からなり、情報処理部３７での処理に用いる各種処理情報を記憶する機能を有している。
この蓄積部３６で記憶する主な処理情報としては、広告管理端末１からＰＯＰ端末５に転送するコンテンツデータファイルや、情報処理部３７での各種処理を実行するためのプログラムがある。特に、蓄積部３６にはファイルの転送先となるＰＯＰ端末５ごとにファイルボックスという論理的な格納場所が予め設けられており、各広告データファイルはその転送先に対応するファイルボックスに分類して一時蓄積される。【００７９】  情報処理部３７は、ＣＰＵなどのマイクロプロセッサとその周辺回路を有し、蓄積部３６からプログラムを読み込んで実行することにより、上記ハードウェアとプログラムとを協働させて各種機能手段を実現する機能を有している。
この情報処理部３７で実現される主な機能手段としては、ファイル転送手段３７Ａとファイル配信手段３７Ｂがある。【００８０】  ファイル転送手段３７Ａは、ＦＴＰやＨＴＴＰなどのファイル転送プロトコルを用いて、通信Ｉ／Ｆ部３１を介して広告管理端末１から転送された広告データファイルを受信し、その宛先のファイルボックスへ一時的に蓄積する機能を有している。
ファイル配信手段３７Ｂは、ＨＴＴＰやＦＴＰなどのファイル転送プロトコルを用いて、通信Ｉ／Ｆ部３１を介したＰＯＰ端末５からのダウンロード要求に応じて、当該ＰＯＰ端末５に対応するファイルボックスから指定された広告データファイルを取得して要求元のＰＯＰ端末５へ配信する機能とを有している。【００８１】  なお、広告管理端末１の情報処理部１７には、通信Ｉ／Ｆ部１１からＩＰ網７を介してＷＥＢサーバ３へ、ＦＴＰなどのファイル転送プロトコルを用いて任意の広告データファイルをアップロードするファイル転送手段（図示せず）が追加されている。
同様に、ＰＯＰ端末５の情報処理部５７には、ＷＥＢサーバ３からＩＰ網７および通信Ｉ／Ｆ部５１を介して、ＨＴＴＰなどのファイル転送プロトコルを用いて任意の広告データファイルをダウンロードするファイル転送手段（図示せず）が追加されている。【００８２】［第２の実施の形態の動作］
次に、図１３−図１５を参照して、本発明の第２の実施の形態にかかる電子ＰＯＰ広告提供システムの動作について説明する。図１３は、広告管理端末における広告更新動作を示すシーケンス図である。図１４は、広告管理端末から送信されるＰＯＰ端末宛の電子メール例である。図１５は、ＰＯＰ端末におけるコマンド実行処理を示すフローチャートである。【００８３】  ここでは、広告管理端末１からコンテンツデータファイルをＷＥＢサーバ３へアップロードするとともに、プレイリストファイルが添付されたＰＯＰ端末５宛の電子メールを送信し、この電子メールをメールサーバ２を介してＰＯＰ端末５で受信し、当該電子メールに添付されている処理コマンドに基づきＷＥＢサーバ３からコンテンツデータファイルをダウンロードし、プレイリストファイル内のプレイリストに基づきコンテンツデータファイル内のコンテンツデータを再生して電子ＰＯＰ広告を提供する場合を例として説明する。【００８４】  広告管理端末１の情報処理部１７は、オペレータ（広告主）の広告更新操作が操作入力部１２を介して検出された場合、図１３の広告更新動作を開始する。
まず、情報処理部１７は、ファイル転送手段により、オペレータから指定されたコンテンツデータファイル「ａ．ｍｐｇ」，「ｂ．ｊｐｇ」，「ｃ．ｍｐｇ」を記憶部１６から読み出して、通信Ｉ／Ｆ部１１からＩＰ網７を介してＷＥＢサーバ３へアップロードする（ステップ２００）。【００８５】  ＷＥＢサーバ３の情報処理部３７は、通信Ｉ／Ｆ部３１を介して広告管理端末１からのコンテンツデータファイルが受信された場合、ファイル転送手段３７Ａにより、当該コンテンツデータファイルの転送先を確認し、その転送先に対応する蓄積部２６内のファイルボックスに当該コンテンツデータファイルを蓄積する（ステップ２０１）。【００８６】  次に、広告管理端末１の情報処理部１７は、電子メール処理手段１７Ａにより、予め用意されている電子メールの雛形データを記憶部１６から読み込んで、各項目を設定することにより電子メールを生成する（ステップ２０２−２０５）。【００８７】  図１４に示すように、電子メール４０Ａは、電子メール４０の宛先を示す宛先アドレス４１、件名４２、本文４３、および添付ファイル４４から構成されている。
電子メール処理手段１７Ａは、オペレータから指定された当該電子メールの宛先、ここでは店舗５ＡのＰＯＰ端末５（ＰＯＰ端末５Ａ１，ＰＯＰ端末５Ａ２）のメールアドレス「ａ１＠ｈｉｋｏｍ．ｃｏ．ｊｐ」と「ａ２＠ｈｉｋｏｍ．ｃｏ．ｊｐ」を宛先アドレス４１に設定する（ステップ２０２）。
また、電子メール処理手段１７Ａは、電子メールの送信日「２００５／０８／３１」とその日の送信電子メールに順次付与されるシリアル番号「００１」から生成した数字列「２００５０８３１００１」を件名４２に設定する（ステップ２０３）。【００８８】  また、電子メール処理手段１７Ａは、オペレータから入力されたコマンドリストを本文４３に設定する（ステップ２０４）。
コマンドリストは、図１４に示すように、ＰＯＰ端末５で実行すべき処理コマンドが１行ごとにテキストデータにより記述されたリストからなり、先頭行から順番に実行される。
各処理コマンドは、当該行が処理コマンドであることを示す「Ｉ＿Ｃｏｍｍａｎｄ」と、処理コマンドの内容を示すコマンド識別情報と、その処理コマンドの実行に必要なパラメータとの組から構成されている。【００８９】  例えば、図１４の電子メール４０Ａの本文４３に記載されたコマンドリストのうち、先頭行に記載された処理コマンド「Ｉ＿Ｃｏｍｍａｎｄ  １１  ｈｔｔｐ：／／ｈｉｋｏｍ＠ｓｅａｒｓ．ｃｏ．ｊｐ／ｃｏｎｔｅｎｔｓ／ａ．ｍｐｇ？ｐａｓｓ＝ｈｏｇｅ」では、そのコマンド識別情報「１１」がコンテンツデータファイルのダウンロード動作に対応しており、この処理コマンドは、ＵＲＬ「ｈｔｔｐ：／／ｈｉｋｏｍ＠ｓｅａｒｓ．ｃｏ．ｊｐ／ｃｏｎｔｅｎｔｓ／ａ．ｍｐｇ？ｐａｓｓ＝ｈｏｇｅ」に基づいて、コンテンツデータファイル「ａ．ｍｐｇ」をＷＥＢサーバ３からダウンロードして基準フォルダに保存することを指示している。【００９０】  以降、２行目と３行目の処理コマンド「Ｉ＿Ｃｏｍｍａｎｄ  １１  ｈｔｔｐ：／／ｈｉｋｏｍ＠ｓｅａｒｓ．ｃｏ．ｊｐ／ｃｏｎｔｅｎｔｓ／ｂ．ｊｐｇ？ｐａｓｓ＝ｈｏｇｅ」，「Ｉ＿Ｃｏｍｍａｎｄ  １１  ｈｔｔｐ：／／ｈｉｋｏｍ＠ｓｅａｒｓ．ｃｏ．ｊｐ／ｃｏｎｔｅｎｔｓ／ｃ．ｍｐｇ？ｐａｓｓ＝ｈｏｇｅ」は、先頭行と同じ処理コマンドであり、コンテンツデータファイル「ｂ．ｊｐｇ」および「ｃ．ｍｐｇ」をＷＥＢサーバ３からダウンロードして基準フォルダに保存することを指示している。【００９１】  また、４行目に記載された処理コマンド「Ｉ＿Ｃｏｍｍａｎｄ  ０１  ａ．ｍｐｇ  ／ｃｏｎｔｅｎｔｓ／」では、そのコマンド識別情報「０１」がコンテンツデータファイルのコピー動作に対応しており、この処理コマンドは、ＷＥＢサーバ３からダウンロードされた基準フォルダ内のコンテンツデータファイル「ａ．ｍｐｇ」を電子ＰＯＰ広告の再生データ格納用の「／ｃｏｎｔｅｎｔｓ／」フォルダにコピーすることを指示している。【００９２】  以降、５行目と６行目の処理コマンド「Ｉ＿Ｃｏｍｍａｎｄ  ０１  ｂ．ｊｐｇ    ／ｃｏｎｔｅｎｔｓ／」，「Ｉ＿Ｃｏｍｍａｎｄ  ０１  ｃ．ｍｐｇ  ／ｃｏｎｔｅｎｔｓ／」，「Ｉ＿Ｃｏｍｍａｎｄ  ０１  ｐｌａｙｌｉｓｔ．ｔｘｔ  ／ｃｏｎｔｅｎｔｓ／」は、４行目と同じ処理コマンドであり、基準フォルダ内のコンテンツデータファイル「ｂ．ｊｐｇ」，「ｃ．ｍｐｇ」およびプレイリストファイル「ｐｌａｙｌｉｓｔ．ｔｘｔ」をそれぞれ「／ｃｏｎｔｅｎｔｓ／」フォルダにコピーすることを指示している。
また、最終行の処理コマンド「Ｉ＿Ｃｏｍｍａｎｄ  １５」では、そのコマンド識別情報「１５」が当該ＰＯＰ端末５の再起動に対応しており、この処理コマンドは、当該ＰＯＰ端末５を再起動（リセット）することを指示している。【００９３】  また、電子メール処理手段１７Ａは、オペレータから指定された広告データファイルを記憶部１６から取り込んで添付ファイル４４として電子メールに添付する（ステップ２０５）。ここでは、電子ＰＯＰ広告の再生方法を示すプレイリストファイル「ｐｌａｙｌｉｓｔ．ｔｘｔ」が添付ファイル４４として添付されている。プレイリストについては、前述した図７と同様であり、ここでの詳細な説明は省略する。【００９４】  このようにしてＰＯＰ端末５宛の電子メールを生成した後、電子メール処理手段１７Ａは、通信Ｉ／Ｆ部１１からＩＰ網７を介してメールサーバ２へ、ＰＯＰ端末５宛の電子メールを送信する（ステップ２０６）。【００９５】  メールサーバ２の情報処理部２７は、通信Ｉ／Ｆ部２１を介して広告管理端末１からの電子メールが受信された場合、電子メール配信手段２７Ａにより、当該電子メールの宛先アドレスを確認し、その宛先アドレスに対応する蓄積部２６内のメールボックスに当該電子メールを蓄積する（ステップ２０７）。
これにより、店舗５ＡのＰＯＰ端末５（ＰＯＰ端末５Ａ１，ＰＯＰ端末５Ａ２）のメールボックスに、同じ電子メールがそれぞれ蓄積され、一連の広告更新動作が終了する。【００９６】  一方、ＰＯＰ端末５の情報処理部５７は、前述と同様に図８の電子メール受信動作により、メールサーバ２から配信された電子メールを受信して、記憶部５６へメールデータ５６Ａとして保存するとともにその添付ファイルを保存し、コマンド処理手段５７Ｂにより、図９に示すようなコマンド実行処理により、メールデータ５６Ａの電子メール本文に記載されている処理コマンドを解析して実行する。【００９７】  図１５のコマンド実行処理例は、図１４の電子メール本文４３のコマンドリストに対応するものである。
まず、コマンド処理手段５７Ｂは、先頭行の処理コマンド「Ｉ＿Ｃｏｍｍａｎｄ  １１  ｈｔｔｐ：／／ｈｉｋｏｍ＠ｓｅａｒｓ．ｃｏ．ｊｐ／ｃｏｎｔｅｎｔｓ／ａ．ｍｐｇ？ｐａｓｓ＝ｈｏｇｅ」を解析し、コマンド識別情報「１１」がコンテンツデータファイルのダウンロード動作を示すことから、そのパラメータで指定されたＵＲＬ「ｈｔｔｐ：／／ｈｉｋｏｍ＠ｓｅａｒｓ．ｃｏ．ｊｐ／ｃｏｎｔｅｎｔｓ／ａ．ｍｐｇ？ｐａｓｓ＝ｈｏｇｅ」に基づいて、コンテンツデータファイル「ａ．ｍｐｇ」をＷＥＢサーバ３からダウンロードして基準フォルダに保存する（ステップ２１０）。【００９８】  以降、２行目と３行目の処理コマンド「Ｉ＿Ｃｏｍｍａｎｄ  １１  ｈｔｔｐ：／／ｈｉｋｏｍ＠ｓｅａｒｓ．ｃｏ．ｊｐ／ｃｏｎｔｅｎｔｓ／ｂ．ｊｐｇ？ｐａｓｓ＝ｈｏｇｅ」，「Ｉ＿Ｃｏｍｍａｎｄ  １１  ｈｔｔｐ：／／ｈｉｋｏｍ＠ｓｅａｒｓ．ｃｏ．ｊｐ／ｃｏｎｔｅｎｔｓ／ｃ．ｍｐｇ？ｐａｓｓ＝ｈｏｇｅ」を解析し、これらが先頭行と同じ処理コマンドであることから、コンテンツデータファイル「ｂ．ｊｐｇ」および「ｃ．ｍｐｇ」をＷＥＢサーバ３からダウンロードして基準フォルダに保存する（ステップ２１１，２１２）。【００９９】  次に、コマンド処理手段５７Ｂは、４行目の処理コマンド「Ｉ＿Ｃｏｍｍａｎｄ  ０１  ａ．ｍｐｇ  ／ｃｏｎｔｅｎｔｓ／」を解析し、コマンド識別情報「０１」がコンテンツデータファイルのコピー動作を示すことから、ＷＥＢサーバ３からダウンロードされた基準フォルダ内のコンテンツデータファイル「ａ．ｍｐｇ」を電子ＰＯＰ広告の再生データ格納用の「／ｃｏｎｔｅｎｔｓ／」フォルダにコピーする（ステップ２１３）。【０１００】  続いて、コマンド処理手段５７Ｂは、５行目から７行目の処理コマンド「Ｉ＿Ｃｏｍｍａｎｄ  ０１  ｂ．ｊｐｇ  ／ｃｏｎｔｅｎｔｓ／」，「Ｉ＿Ｃｏｍｍａｎｄ  ０１  ｃ．ｍｐｇ  ／ｃｏｎｔｅｎｔｓ／」，「Ｉ＿Ｃｏｍｍａｎｄ  ０１  ｐｌａｙｌｉｓｔ．ｔｘｔ  ／ｃｏｎｔｅｎｔｓ／」を解析し、これらが４行目と同じ処理コマンドであることから、ＷＥＢサーバ３からダウンロードされた基準フォルダ内のコンテンツデータファイル「ｂ．ｊｐｇ」，「ｃ．ｍｐｇ」およびメールデータ５６Ａの電子メールに添付されていた基準フォルダ内のプレイリストファイル「ｐｌａｙｌｉｓｔ．ｔｘｔ」をそれぞれ「／ｃｏｎｔｅｎｔｓ／」フォルダにコピーする（ステップ２１４−２１６）。【０１０１】  次に、コマンド処理手段５７Ｂは、最終行の処理コマンド「Ｉ＿Ｃｏｍｍａｎｄ  １５」を解析し、コマンド識別情報「０１」が当該ＰＯＰ端末５の再起動を示すことから、当該ＰＯＰ端末５の再起動（リセット）を実行する（ステップ２１７）。【０１０２】  これにより、一連のコマンド実行処理が終了し、その後、当該ＰＯＰ端末５が再起動され、ＰＯＰ端末５の情報処理部５７は、広告再生手段５７Ｃにより、前述した図１０に示すような、電子メールで受信して「／ｃｏｎｔｅｎｔｓ／」フォルダに格納されている各種広告データファイルに基づく電子ＰＯＰ広告の広告再生処理を開始する。なお、広告再生処理については、前述の図１０と同様であり、ここでの詳細な説明は省略する。【０１０３】  このように、本実施の形態は、ＰＯＰ端末５により、広告管理端末１から送信された電子メールをＩＰ網７に接続されたメールサーバ２から受信して、当該電子メールで指示されたコンテンツデータファイルをＷＥＢサーバ３からダウンロードし、このコンテンツデータファイルに格納されているコンテンツデータを再生することにより任意の電子ＰＯＰ広告を提供するようにしたので、専用コンテンツセンタを必要とすることなく簡素なシステム構成でコンテンツを配信して電子ＰＯＰ広告を提供できる。【０１０４】  すなわち、本実施の形態では、メールサーバ２がメールの配信機能を備えており、かつＷＥＢサーバ３がファイル配信機能を備えておればよく、それぞれ電子ＰＯＰ広告システム専用の機能を持つ必要はないため、汎用のメールサーバおよびファイルサーバで容易に実現でき、さらにはホスティングサービスとして事業者により予め設置されレンタルサービスで提供されているメールサーバやファイルサーバを利用することもできる。また、広告管理端末１についても、コンテンツデータファイルを添付した電子メールを所望のＰＯＰ端末５へ送信する電子メール処理機能とＷＥＢサーバ３に対してコンテンツデータファイルをアップロードする機能を備えていればよく、一般的なパーソナルコンピュータで実現できる。【０１０５】  したがって、本実施の形態によれば、ＰＯＰ端末５へコンテンツを配信するために、専用のコンテンツセンタやこのコンテンツセンタとＰＯＰ端末との間でデータ通信を行うための専用の通信プロトコルを用いる従来技術と比較して、システムの複雑化や大規模化を回避できるとともに、専門知識を要することなく小さな作業負担で電子ＰＯＰ広告システムを構築できる。これにより、システム構築に要する初期コストを大幅に削減できるため、広告主は安価にシステムを構築することができる。また事業者がシステムを構築して広告主に提供する場合でも安価にシステムを提供でき、広告主が容易にシステムを導入することが可能となる。【０１０６】  また、本実施の形態は、第１の実施の形態と比較して、コンテンツデータファイルをＷＥＢサーバ３経由で広告管理端末１からＰＯＰ端末５へ配信するようにしたので、映像コンテンツや音声コンテンツなどファイルサイズが大きいコンテンツデータファイルをＰＯＰ端末５へ配信する際、電子メールに対するサイズ規制に制限されることなく、比較的大きなコンテンツデータファイルを容易に配信することができる。なお、ＷＥＢサーバ３経由で広告管理端末１からＰＯＰ端末５へ配信するファイルについては、コンテンツデータファイルに限定されるものではなく、プレイリストファイルや後述のコマンドリストファイルなど、他の広告データファイルをＷＥＢサーバ３経由で配信してもよい。【０１０７】  なお、本実施の形態は、第１の実施の形態と比較して、コンテンツデータファイルをＷＥＢサーバ３経由で広告管理端末１からＰＯＰ端末５へ配信する点が異なるものの、その他の構成はほぼ同様であり、第１の実施の形態で述べた各種変更（アレンジ）を本実施の形態にも適用でき、同様の作用効果が得られる。【０１０８】［第３の実施の形態］
次に、図１６−図１８を参照して、本発明の第３の実施の形態にかかる電子ＰＯＰ広告提供システムについて説明する。図１６は、本発明の第３の実施の形態にかかる電子ＰＯＰ広告提供システムで用いられるＰＯＰ端末宛の電子メール例である。図１７は、ＰＯＰ端末におけるコマンド実行処理を示すフローチャートである。図１８は、ＰＯＰ端末から送信される広告管理端末宛の電子メール例である。【０１０９】  第１および第２の実施の形態では、広告管理端末１からＰＯＰ端末５へ電子ＰＯＰ広告の再生を指示するという、メールサーバ２やＷＥＢサーバ３を利用した広告管理端末１からＰＯＰ端末５へ片方向で通信を行う場合について説明した。本実施の形態では、電子メールを利用してＰＯＰ端末５から広告管理端末１への通信も行う場合について説明する。【０１１０】  ＩＰ網７を介して広告管理端末１からＰＯＰ端末５を管理する場合、ＰＯＰ端末５の動作状況を広告管理端末１で把握する必要があり、ＰＯＰ端末５から広告管理端末１への通信が必要となる。従来技術では、専用コンテンツセンタとＰＯＰ端末との間で専用の通信プロトコルを用いて、広告管理端末１とＰＯＰ端末５の間の双方向通信を実現していたが、システムが複雑化し大規模化するという問題点があった。
本実施の形態では、ＰＯＰ端末５の動作状況を示すログ情報を含む広告管理端末１宛の電子メールをＰＯＰ端末５から送信するよう、広告管理端末１から処理コマンドにより指示するようにした。【０１１１】  図１６の電子メール４０Ｂの本文４３に記載されたコマンドリストのうち、先頭行に記載された処理コマンド「Ｉ＿Ｃｏｍｍａｎｄ  １９  ｉｎｆｏ．ｔｘｔ」では、そのコマンド識別情報「１９」がシステム情報の出力動作に対応しており、この処理コマンドは、ＰＯＰ端末５のシステム情報を基準フォルダ内のログファイル「ｉｎｆｏ．ｔｘｔ」へ出力することを指示している。【０１１２】  また、次行の処理コマンド「Ｉ＿Ｃｏｍｍａｎｄ  １０  ″ｍａｓｔｅｒ０１＠ｈｉｋｏｍ．ｃｏ．ｊｐ″  ″ｒｅ：２００５０８３１００２″  ｉｎｆｏ．ｔｘｔ  ｓｙｓ．ｌｏｇ  ｃｏｍ．ｌｏｇ  ｅｒｒ．ｌｏｇ」では、そのコマンド識別情報「１９」が電子メール送信動作に対応しており、この処理コマンドは、ＰＯＰ端末５の基準フォルダ内にあるログファイル「ｉｎｆｏ．ｔｘｔ」をメール本文に貼り付けるとともに、「ｓｙｓ．ｌｏｇ」，「ｃｏｍ．ｌｏｇ」，「ｅｒｒ．ｌｏｇ」の各ログファイルを添付した電子メールを、件名「ｒｅ：２００５０８３１００２」で広告管理端末１のメールアドレス「ｍａｓｔｅｒ０１＠ｈｉｋｏｍ．ｃｏ．ｊｐ」宛に送信することを指示している。【０１１３】  ＰＯＰ端末５の情報処理部５７は、電子メール処理手段５７Ａで受信した電子メール４０Ｂの電子メール本文４３のコマンドリストに基づき、コマンド処理手段５７Ｂにより、図１７のコマンド実行処理の実行を開始する。
まず、コマンド処理手段５７Ｂは、当該ＰＯＰ端末５の端末ＩＤや記憶部５６のメモリ使用状況などを含むシステム情報をテキストファイル「ｉｎｆｏ．ｔｘｔ」へ出力する（ステップ３００）。
続いて、コマンド処理手段５７Ｂは、電子メール処理手段５７Ａにより、予め用意されている電子メールの雛形データを記憶部５６から読み込んで、各項目を設定することにより図１８の電子メール４０Ｃを生成する（ステップ３０１−３０４）。【０１１４】  電子メール処理手段５７Ａは、まず、処理コマンドで指定された広告管理端末１のメールアドレス「ｍａｓｔｅｒ０１＠ｈｉｋｏｍ．ｃｏ．ｊｐ」を宛先アドレス４１に設定するとともに（ステップ３０１）、処理コマンドで指定された件名「ｒｅ：２００５０８３１００２亅を件名４２に設定する（ステップ３０２）。
次に、電子メール処理手段５７Ａは、基準フォルダからテキストファイル「ｉｎｆｏ．ｔｘｔ」の内容を読み込んで、その内容を本文４３へ貼り付ける（ステップ３０３）。これにより、本文４３には、システム情報を取得した日時情報「２００５／０８／３１／１３／１５」、当該端末ＩＤ「１２３４５６７８」、記憶部５６の全メモリ容量「Ｍｅｍ＿ｔｏｔａｌ＝１２８Ｍ」、およびメモリ残量「Ｍｅｍ＿ｒｅｓｔ＝８０Ｍ」というシステム情報が貼り付けられる。【０１１５】  次に、電子メール処理手段５７Ａは、基準フォルダ内の「ｓｙｓ．ｌｏｇ」，「ｃｏｍ．ｌｏｇ」，「ｅｒｒ．ｌｏｇ」の各ログファイルを添付ファイル４４として電子メール４０Ｃへ添付する（ステップ３０４）。
ＰＯＰ端末５の情報処理部５７は、当該ＰＯＰ端末５で発生した各種イベントを順次ログファイルに記録する動作状況記録機能を有している。例えば、ログファイル「ｓｙｓ．ｌｏｇ」には、当該端末の電源オン／オフやコマンド処理に関する履歴が記録され、ログファイル「ｃｏｍ．ｌｏｇ」には、メール送受信やファイルダウンロードに関する履歴が記録され、ログファイル「ｅｒｒ．ｌｏｇ」には、コンテンツ再生エラーや通信エラーに関する履歴が記録される。【０１１６】  このようにして、広告管理端末１宛の電子メール４０Ｃを生成した後、電子メール処理手段５７Ａは、通信Ｉ／Ｆ部５１からＩＰ網７を介してメールサーバ２へ、広告管理端末１宛の電子メール４０Ｃを送信し（ステップ３０５）、一連のコマンド実行処理を終了する。【０１１７】  このように、本実施の形態は、ＰＯＰ端末５により、広告管理端末１から処理コマンドとして指示された電子メール送信コマンドに応じて、任意の情報を含む電子メールを広告管理端末１宛に送信するようにしたので、広告管理端末１からの要求に基づき、電子メールを利用して広告管理端末１とＰＯＰ端末５との間で双方向にデータ通信を行うことができる。これにより、専用コンテンツセンタを必要とすることなく簡素なシステムで広告管理端末１とＰＯＰ端末５との間の双方向データ通信を実現できる。【０１１８】  また、処理コマンドとして指示されたメール送信コマンドに応じて、当該ＰＯＰ端末５の動作状況を示すログデータを含む広告管理端末１宛の電子メールをＩＰ網７を介してメールサーバ２へ送信するようにしたので、ＰＯＰ端末５の動作状況を電子メールにより広告管理端末１で把握することができ、広告管理端末１からＰＯＰ端末５を適切に管理することが可能となる。これにより、必要に応じてＰＯＰ端末５の不具合を改善するための処置を迅速にとることができ、各ＰＯＰ端末５での広告提供動作を常に良好に保つことができる。【０１１９】［第４の実施の形態］
次に、図１９および図２０を参照して、本発明の第４の実施の形態にかかる電子ＰＯＰ広告提供システムについて説明する。図１９は、本発明の第４の実施の形態にかかる電子ＰＯＰ広告提供システムで用いられるＰＯＰ端末宛の電子メール例である。図２０は、ＰＯＰ端末におけるコマンド実行処理を示すフローチャートである。【０１２０】  第１および第２の実施の形態では、広告管理端末１からＰＯＰ端末５へ電子ＰＯＰ広告の再生を指示する場合について説明した。
本実施の形態では、広告管理端末１からＰＯＰ端末５へ電子ＰＯＰ広告の再生を禁止する場合について説明する。【０１２１】  電子ＰＯＰ広告提供システムを実施する形態の１つとして、事業者がＰＯＰ端末５を広告主に対して有料でレンタルサービスする場合が考えられる。この際、ＰＯＰ端末５に関するレンタル料の未払いが生じた場合、当該ＰＯＰ端末５での電子ＰＯＰ広告の再生停止を検討する必要が出てくる。また、ＰＯＰ端末５が盗難にあったり紛失した場合も、電子ＰＯＰ広告の再生停止を行う必要がある。【０１２２】  従来技術では、ＰＯＰ端末５に対して電子ＰＯＰ広告の再生停止を指示する機能は備えておらず、ＰＯＰ端末５の不正使用を抑止できないという問題点があった。
本実施の形態では、ＰＯＰ端末５での電子ＰＯＰ広告の再生許可／再生禁止を、広告管理端末１から処理コマンドにより指示するようにした。【０１２３】  図１９の電子メール４０Ｄの本文４３に記載されたコマンドリストのうち、先頭行に記載された処理コマンド「Ｉ＿Ｃｏｍｍａｎｄ  ２１  ＯＮ」では、そのコマンド識別情報「２１」が当該端末の再生禁止（ロック）動作に対応しており、この処理コマンドは、ＰＯＰ端末５での電子ＰＯＰ広告の再生を禁止することを指示している。【０１２４】  ＰＯＰ端末５の情報処理部５７は、電子メール処理手段５７Ａで受信した電子メール４０Ｄの本文４３のコマンドリストに基づき、コマンド処理手段５７Ｂにより、図２０のコマンド実行処理の実行を開始し、再生禁止（ロック）動作コマンドで指定されたパラメータが再生禁止を設定するための「ＯＮ」が再生許可を設定するための「ＯＦＦ」かを判断する（ステップ３１０）。
ここで、パラメータが「ＯＮ」の場合は（ステップ３１０：ＹＥＳ）、記憶部５６の再生可否情報を再生禁止に設定し（ステップ３１１）、パラメータが「ＯＦＦ」の場合は（ステップ３１０：ＮＯ）、記憶部５６の再生可否情報を再生許可に設定し（ステップ３１２）、一連のコマンド実行処理を終了する。【０１２５】  広告再生手段５７Ｃは、任意のコンテンツデータを再生する際、記憶部５６の再生可否情報を参照して再生可否を判断するものとなっており、再生可否情報が再生禁止に設定されている場合には、電子メールにより電子ＰＯＰ広告の再生が指示された場合でも、その再生を禁止し、再生可否情報が再生許可に設定されている場合にのみ再生を行う。【０１２６】  このように、本実施の形態では、ＰＯＰ端末５により、広告管理端末１から処理コマンドとして指示された再生禁止コマンドに応じて、当該ＰＯＰ端末５での電子ＰＯＰ広告の再生許可／再生禁止を設定するようにしたので、広告管理端末１からＰＯＰ端末５における電子ＰＯＰ広告の再生許可／再生禁止を遠隔制御できる。
したがって、ＰＯＰ端末５に関するレンタル料の未払いが生じた場合や、ＰＯＰ端末５が盗難にあったり紛失した場合など、必要に応じて電子ＰＯＰ広告の再生停止を行うことができ、ＰＯＰ端末５の不正使用を抑止できる。【０１２７】  なお、本実施の形態では、広告管理端末１からＰＯＰ端末５に対して電子ＰＯＰ広告の再生禁止を設定する場合について説明したが、これに限定されるものではなく、ＰＯＰ端末５で実行される他の処理の実行を前述と同様にして禁止することもできる。また、再生禁止の設定については、記憶部５６の再生可否情報を用いて設定し、広告再生手段５７Ｃ（プログラム）によりこれを参照して再生可否を判断する場合を例として説明したが、これに限定されるものではなく、例えば再生に用いる任意の回路部の動作を停止制御したり電源部５５での電源供給を停止制御するなど、他の方法で再生可否を制御するようにしてもい。【０１２８】［第５の実施の形態］
次に、図２１および図２２を参照して、本発明の第５の実施の形態にかかる電子ＰＯＰ広告提供システムについて説明する。図２１は、本発明の第５の実施の形態にかかる電子ＰＯＰ広告提供システムで用いられるＰＯＰ端末宛の電子メール例である。図２２は、ＰＯＰ端末におけるコマンド実行処理を示すフローチャートである。【０１２９】  第１および第２の実施の形態では、電子ＰＯＰ広告の内容を示すコンテンツデータファイルを広告管理端末１からＰＯＰ端末５へ配信する場合、１つのコンテンツデータを１つのコンテンツデータファイルで配信する場合を例として説明した。
本実施の形態では、１つのコンテンツデータを複数のコンテンツデータファイルに分割して配信する場合について説明する。【０１３０】  １つのコンテンツデータを複数のコンテンツデータファイルに分割して配信する場合、分割ファイルを受け取ったＰＯＰ端末５側で、これら分割ファイルを結合して元のコンテンツデータファイルを生成する必要がある。本実施の形態では、この分割ファイルの結合を広告管理端末１から処理コマンドにより指示するようにした。【０１３１】  例えば、図２１の電子メール４０Ｅの本文４３に記載されたコマンドリストのうち、先頭行に記載された処理コマンド「Ｉ＿Ｃｏｍｍａｎｄ  ０５  ａ．ｍｐｇ．ｄｖ１  ａ．ｍｐｇ．ｄｖ２」では、そのコマンド識別情報「０５」がファイルの結合動作に対応しており、この処理コマンドは、基準フォルダ内の分割ファイル「ａ．ｍｐｇ．ｄｖ１」と「ａ．ｍｐｇ．ｄｖ２」を結合し、得られたコンテンツデータファイル「ａ．ｍｐｇ」を基準フォルダに保存することを指示している。
なお、分割ファイル「ａ．ｍｐｇ．ｄｖ１」と「ａ．ｍｐｇ．ｄｖ２」は、広告管理端末１の情報処理部１７で予め生成され、電子メール４０Ｅに添付ファイル４４として添付されて送信される。【０１３２】  ＰＯＰ端末５の情報処理部５７は、電子メール処理手段５７Ａにより、受信した電子メール４０Ｅに添付されている分割ファイル「ａ．ｍｐｇ．ｄｖ１」，「ａ．ｍｐｇ．ｄｖ２」を基準フォルダに保存した後、コマンド処理手段５７Ｂにより、電子メール本文４３のコマンドリストに基づき、図２２のコマンド実行処理の実行を開始する。【０１３３】  まず、コマンド処理手段５７Ｂは、基準フォルダ内の分割ファイル「ａ．ｍｐｇ．ｄｖ１」と「ａ．ｍｐｇ．ｄｖ２」を結合し、得られたコンテンツデータファイル「ａ．ｍｐｇ」を基準フォルダに保存する（ステップ３２０）。
この後、コマンド処理手段５７Ｂは、結合により得たコンテンツデータファイル「ａ．ｍｐｇ」を「／ｃｏｎｔｅｎｔｓ／」フォルダにコピーし（ステップ３２１）、他の広告データファイルを「／ｃｏｎｔｅｎｔｓ／」フォルダにコピーし（ステップ３２２−３２４）、当該ＰＯＰ端末５の再起動を行う（ステップ３２５）。これにより、一連のコマンド実行処理が終了し、その後、当該ＰＯＰ端末５が再起動され、前述と同様にして電子ＰＯＰ広告の広告再生処理が開始される。【０１３４】  このように、本実施の形態は、ＰＯＰ端末５により、広告管理端末１から処理コマンドとして指示された結合コマンドに応じて、任意の分割ファイルを結合することにより所望の広告データファイルを生成するようにしたので、１つの添付ファイルのファイルサイズに制限がある場合であっても、動画コンテンツファイルなどの大きなサイズの広告データファイルを配信できる。【０１３５】  なお、本実施の形態では、各分割ファイルを同一電子メールに添付して配信する場合を例として説明したが、各分割ファイルを異なる電子メールに添付して配信し、ＰＯＰ端末５でこれら電子メールに添付された分割ファイルを結合するようにしてもよい。これにより、１つの電子メールのサイズに制限がある場合であっても、動画コンテンツファイルなどの大きなサイズの広告データファイルを配信できる。
また、分割ファイルは、電子メールで配信する場合に限定されるものではなく、例えばＷＥＢサーバ３からダウンロードした分割ファイルに対しても適用できる。【０１３６】［第６の実施の形態］
次に、図２３および図２４を参照して、本発明の第６の実施の形態にかかる電子ＰＯＰ広告提供システムについて説明する。図２３は、本発明の第６の実施の形態にかかる電子ＰＯＰ広告提供システムで用いられるＰＯＰ端末宛の電子メール例である。図２４は、ＰＯＰ端末におけるコマンド実行処理を示すフローチャートである。【０１３７】  第１および第２の実施の形態では、ＰＯＰ端末５で実行すべき処理コマンドを電子メールの本文に記載する場合を例として説明した。本実施の形態では、ＰＯＰ端末５で実行すべき処理コマンドを記載したコマンドリストファイルを電子メールに添付してＰＯＰ端末５へ配信する場合について説明する。【０１３８】  図２３の電子メール４０Ｆの本文４３に記載された処理コマンド「Ｉ＿Ｃｏｍｍａｎｄ  ０１  ２００５０９０１００００．ｃｍｄ」では、そのコマンド識別情報「０１」がファイルのコピー動作に対応しており、この処理コマンドは、基準フォルダ内のコマンドリストファイル「２００５０９０１００００．ｃｍｄ」を「／ｃｏｎｔｅｎｔｓ／」フォルダにコピーすることを指示している。
なお、コマンドリストファイル「２００５０９０１００００．ｃｍｄ」は、広告管理端末１の情報処理部１７で予め生成され、電子メール４０Ｆに添付ファイル４４として添付されて送信される。【０１３９】  ＰＯＰ端末５の情報処理部５７は、電子メール処理手段５７Ａにより、受信した電子メール４０Ｆに添付されているコマンドリストファイル「２００５０９０１００００．ｃｍｄ」を基準フォルダに保存した後、コマンド処理手段５７Ｂにより、電子メール本文４３のコマンドリストに基づき、図２４のコマンド実行処理の実行を開始する。【０１４０】  まず、コマンド処理手段５７Ｂは、基準フォルダ内のコマンドリストファイル「２００５０９０１００００．ｃｍｄ」を「／ｃｏｎｔｅｎｔｓ／」フォルダにコピーする（ステップ３３０）。
この後、コマンド処理手段５７Ｂは、「／ｃｏｎｔｅｎｔｓ／」フォルダ内のコマンドリストファイルを参照して、計時手段５７Ｄで計時されている現在日時を参照して、実行タイミングが到来したコマンドリストファイルを検索する（ステップ３３１）。【０１４１】  ここでは、コマンドリストファイル名にその実行タイミングの日時が記載されている。例えばコマンドリストファイル名「２００５０９０１００００．ｃｍｄ」からその実行タイミングの日時が「２００５／０９／０１００：００」であることがわかる。
実行タイミングが到来したコマンドリストファイルがあった場合は（ステップ３３１：ＹＥＳ）、当該コマンドリストファイルに格納されているコマンドリストに基づきコマンド処理の実行を開始し（ステップ３３２）、一連のコマンド実行処理を終了する。【０１４２】  このように、本実施の形態は、ＰＯＰ端末５で実行させるコマンド処理をコマンドリストファイルに記載してＰＯＰ端末５へ配信するようにしたので、任意のコマンド処理をコマンドリストファイルとして広告管理端末１で保存しておいて電子メールに添付することができる。これにより、オペレータが電子メール本文にコマンドリストを記載する必要がなくなり、作業負担を軽減できる。【０１４３】  また、コマンドリストファイルの実行タイミングを指定するようにしたので、任意の日時に任意のコマンドリストファイルを実行させることができ、処理を容易に切り替えることができる。
この際、コマンドリストファイルの実行タイミングは、コマンドリストファイル内に記述してもよいが、コマンドリストファイル名に実行タイミングを記載することにより、コマンドリストファイル内を閲覧することなく、当該コマンドリストファイルの実行タイミングを確認でき、ＰＯＰ端末５での処理負担を軽減できる。【０１４４】［第７の実施の形態］
次に、図２５および図２６を参照して、本発明の第７の実施の形態にかかる電子ＰＯＰ広告提供システムについて説明する。図２５は、本発明の第７の実施の形態にかかる電子ＰＯＰ広告提供システムで用いられるＰＯＰ端末宛の電子メール例である。図２６は、ＰＯＰ端末におけるコマンド実行処理を示すフローチャートである。【０１４５】  第１および第２の実施の形態では、ＰＯＰ端末５で再生すべき電子ＰＯＰ広告の再生方法をプレイリストに記載して電子メールに添付する場合を例として説明した。
本実施の形態では、電子メールの本文の処理コマンドで電子ＰＯＰ広告の再生方法を指示することにより、再生中の電子ＰＯＰ広告を一時中断して、任意の電子ＰＯＰ広告を割込再生する場合について説明する。【０１４６】  図２５の電子メール４０Ｇの本文４３に記載された処理コマンド「Ｉ＿Ｃｏｍｍａｎｄ  ０１  ａ．ｊｐｇ」では、そのコマンド識別情報「０１」がファイルのコピー動作に対応しており、この処理コマンドは、基準フォルダ内のコンテンツデータファイル「ａ．ｊｐｇ」を「／ｃｏｎｔｅｎｔｓ」フォルダにコピーすることを指示している。
次行の処理コマンド「Ｉ＿Ｃｏｍｍａｎｄ  １３  ａ．ｊｐｇ３０」では、そのコマンド識別情報「１３」が静止画ファイルの表示動作に対応しており、この処理コマンドは、「／ｃｏｎｔｅｎｔｓ／」フォルダ内のコンテンツデータファイル「ａ．ｊｐｇ」を「３０」秒間にわたり表示することを指示している。【０１４７】  最終行の処理コマンド「Ｉ＿Ｃｏｍｍａｎｄ  ０３  ／ｃｏｎｔｅｎｔｓ／ａ．ｊｐｇ」では、そのコマンド識別情報「０３」がファイル削除動作に対応しており、この処理コマンドは、「／ｃｏｎｔｅｎｔｓ／」フォルダ内のコンテンツデータファイル「ａ．ｊｐｇ」を削除することを指示している。【０１４８】  ＰＯＰ端末５の情報処理部５７は、電子メール処理手段５７Ａにより、受信した電子メール４０Ｇに添付されているコンテンツデータファイル「ａ．ｊｐｇ」を基準フォルダに保存した後、コマンド処理手段５７Ｂにより、電子メール本文４３のコマンドリストに基づき、図２６のコマンド実行処理の実行を開始する。【０１４９】  まず、コマンド処理手段５７Ｂは、基準フォルダ内のコンテンツデータファイル「ａ．ｊｐｇ」を「／ｃｏｎｔｅｎｔｓ／」フォルダにコピーし（ステップ３４０）、広告再生手段５７Ｃにより、「／ｃｏｎｔｅｎｔｓ／」フォルダ内のコンテンツデータファイル「ａ．ｊｐｇ」を画面表示部５３で表示開始する（ステップ３４１）。
これにより、それまで画面表示部５３で表示していた電子ＰＯＰ広告が中断されて、新たなコンテンツデータファイル「ａ．ｊｐｇ」が画面表示される。【０１５０】  その後、コマンド処理手段５７Ｂは、計時手段５７Ｄでの計時結果を参照して、コンテンツデータファイル「ａ．ｊｐｇ」の表示開始から３０秒経過した場合（ステップ３４２：ＹＥＳ）、コンテンツデータファイル「ａ．ｊｐｇ」の表示を停止し（ステップ３４３）、「／ｃｏｎｔｅｎｔｓ／」フォルダ内のコンテンツデータファイル「ａ．ｊｐｇ」を削除し（ステップ３４４）、一連のコマンド実行処理を終了する。広告再生手段５７Ｃは、割込再生終了後、中断していた電子ＰＯＰ広告を再開する。【０１５１】  このように、本実施の形態は、ＰＯＰ端末５により、広告管理端末１から処理コマンドとして指示された再生コマンドに応じて、任意のコンテンツデータを再生するようにしたので、再生中の電子ＰＯＰ広告を任意のタイミングで一時中断して、任意の電子ＰＯＰ広告を割込再生することができる。なお、本実施の形態は、プレイリストを用いずにコンテンツを再生することを目的として利用してもよい。【０１５２】［実施の形態の拡張］
以上の各実施の形態では、ＰＯＰ端末５の通信Ｉ／Ｆ部５１が無線通信機能を有し、ゲートウェイ（ＧＷ）６を介してＩＰ網７に接続される場合を例として説明した。これにより、ＰＯＰ端末５に対して有線の通信回線を配線する必要がなくなり、ＰＯＰ端末５の配置制限を大幅に緩和できる。なお、有線の通信回線を配線が容易な場合はゲートウェイ６を用いる必要はなく、有線の通信回線を介してＰＯＰ端末５をＩＰ網７へ接続すればよい。【０１５３】  また、以上の各実施の形態では、広告管理端末１が１つの場合を例として説明したが、これに限定されるものではなく、複数の広告管理端末１を用いてそれぞれＰＯＰ端末５へ広告データを配信して電子ＰＯＰ広告を再生できる。したがって、複数の広告主が同一メールサーバ２を共用でき、電子ＰＯＰ広告提供システムの運用コストを削減できる。
【図面の簡単な説明】
【０１５４】
【図１】本発明の第１の実施の形態にかかる電子ＰＯＰ広告提供システムの構成を示すブロック図である。
【図２】本発明の第１の実施の形態にかかる電子ＰＯＰ広告提供システムで用いられる広告管理端末の構成を示すブロック図である。
【図３】本発明の第１の実施の形態にかかる電子ＰＯＰ広告提供システムで用いられるメールサーバの構成を示すブロック図である。
【図４】本発明の第１の実施の形態にかかる電子ＰＯＰ広告提供システムで用いられるＰＯＰ端末の構成を示すブロック図である。
【図５】広告管理端末における広告更新動作を示すシーケンス図である。
【図６】広告管理端末から送信されるＰＯＰ端末宛の電子メール例である。
【図７】ＰＯＰ端末におけるコンテンツデータの再生方法を示すプレイリスト例である。
【図８】ＰＯＰ端末における電子メール受信動作を示すシーケンス図である。
【図９】ＰＯＰ端末におけるコマンド実行処理を示すフローチャートである。
【図１０】ＰＯＰ端末における広告再生処理を示すフローチャートである。
【図１１】本発明の第２の実施の形態にかかる電子ＰＯＰ広告提供システムの構成を示すブロック図である。
【図１２】本発明の第２の実施の形態にかかる電子ＰＯＰ広告提供システムで用いられるＷＥＢサーバの構成を示すブロック図である。
【図１３】広告管理端末における広告更新動作を示すシーケンス図である。
【図１４】広告管理端末から送信されるＰＯＰ端末宛の電子メール例である。
【図１５】ＰＯＰ端末におけるコマンド実行処理を示すフローチャートである。
【図１６】本発明の第３の実施の形態にかかる電子ＰＯＰ広告提供システムで用いられるＰＯＰ端末宛の電子メール例である。
【図１７】ＰＯＰ端末におけるコマンド実行処理を示すフローチャートである。
【図１８】ＰＯＰ端末から送信される広告管理端末宛の電子メール例である。
【図１９】本発明の第４の実施の形態にかかる電子ＰＯＰ広告提供システムで用いられるＰＯＰ端末宛の電子メール例である。
【図２０】ＰＯＰ端末におけるコマンド実行処理を示すフローチャートである。
【図２１】本発明の第５の実施の形態にかかる電子ＰＯＰ広告提供システムで用いられるＰＯＰ端末宛の電子メール例である。
【図２２】ＰＯＰ端末におけるコマンド実行処理を示すフローチャートである。
【図２３】本発明の第６の実施の形態にかかる電子ＰＯＰ広告提供システムで用いられるＰＯＰ端末宛の電子メール例である。
【図２４】ＰＯＰ端末におけるコマンド実行処理を示すフローチャートである。
【図２５】本発明の第７の実施の形態にかかる電子ＰＯＰ広告提供システムで用いられるＰＯＰ端末宛の電子メール例である。
【図２６】ＰＯＰ端末におけるコマンド実行処理を示すフローチャートである。
【符号の説明】
【０１５５】  １…広告管理端末、１１…通信Ｉ／Ｆ部、１２…操作入力部、１３…画面表示部、１６…記憶部、１７…情報処理部、１７Ａ…電子メール処理手段、２…メールサーバ、２１…通信Ｉ／Ｆ部、２６…蓄積部、２７…情報処理部、２７Ａ…電子メール配信手段、３…ＷＥＢサーバ、３１…通信Ｉ／Ｆ部、３６…蓄積部、３７…情報処理部、３７Ａ…ファイル転送手段、３７Ｂ…ファイル配信手段、４０，４０Ａ，４０Ｂ，４０Ｃ，４０Ｄ，４０Ｅ，４０Ｆ，４０Ｇ…電子メール、４１…宛先アドレス、４２…件名、４３…本文、４４…添付ファイル、４５…プレイリスト、５…ＰＯＰ端末、５Ａ…店舗Ａ、５Ｂ…店舗Ｂ、５１…通信Ｉ／Ｆ部、５２…操作入力部、５３…画面表示部、５４…音声処理部、５５…電源部、５６…記憶部、５６Ａ…メールデータ、５６Ｂ…コンテンツデータ、５６Ｃ…プレイリスト、５６Ｄ…ログデータ、５６Ｐ…プログラム、５７…情報処理部、５７Ａ…電子メール処理手段、５７Ｂ…コマンド処理手段、５７Ｃ…広告再生手段、５７Ｄ…計時手段、６…ゲートウェイ（ＧＷ）、７…ＩＰ網。
【図１】
2007109190.tif 000003
【図２】
2007109190.tif 000004
【図３】
2007109190.tif 000005
【図４】
2007109190.tif 000006
【図５】
2007109190.tif 000007
【図６】
2007109190.tif 000008
【図７】
2007109190.tif 000009
【図８】
2007109190.tif 000010
【図９】
2007109190.tif 000011
【図１０】
2007109190.tif 000012
【図１１】
2007109190.tif 000013
【図１２】
2007109190.tif 000014
【図１３】
2007109190.tif 000015
【図１４】
2007109190.tif 000016
【図１５】
2007109190.tif 000017
【図１６】
2007109190.tif 000018
【図１７】
2007109190.tif 000019
【図１８】
2007109190.tif 000020
【図１９】
2007109190.tif 000021
【図２０】
2007109190.tif 000022
【図２１】
2007109190.tif 000023
【図２２】
2007109190.tif 000024
【図２３】
2007109190.tif 000025
【図２４】
2007109190.tif 000026
【図２５】
2007109190.tif 000027
【図２６】
2007109190.tif 000028